(57)【要約】  コネクタアセンブリは、アダプタ（２２５０）と、ハウジング装置（２２１１）と、フェルールアセンブリと、センサ（２２３０）とを備えている。ハウジング装置は、アダプタによって受け入れられるようになっており、孔と、前端と、前端と反対側の後端とを有している。フェルールアセンブリのフェルール（２１１７Ｂ）は、ハウジング装置の孔内に位置しており、ハウジング装置の前端を超えて延在する対合端を有している。センサは、ハウジング装置の後端、フェルールアセンブリの後端、又はハウジング装置又はフェルールアセンブリと向き合って離間しているアダプタ上に取り付けられている。センサは、ハウジング装置又はフェルールアセンブリによって加えられた力を検出するように構成されている。センサの電気特性が変化し、これによって、所定の力がハウジング装置又はフェルールアセンブリによって加えられたことを示すようになっている。
2020506441.tif 000002
【特許請求の範囲】
【請求項１】
アダプタと、
前記アダプタによって受入れ可能なハウジングを備え、孔、前端、及び前記前端と反対側の後端を有する、ハウジング装置と、
前記ハウジングの前記孔内に位置するフェルールであって、前記ハウジングの前記前端を超えて延在する対合端を有するフェルールと、
前記ハウジング装置の前記後端又は前記ハウジング装置の前記後端と向き合って離間する前記アダプタに取り付けられたセンサであって、前記センサは、前記ハウジング装置の前記後端によって加えられた力を検出するように構成され、前記センサの電気特性が変化し、これによって、所定の力が前記ハウジング装置に加えられたことを示すようになっている、センサと、
を備えているコネクタアセンブリ。
【請求項２】
前記アダプタは、第１のアダプタ壁を備え、前記ハウジング装置は、第１のハウジング壁を備え、前記第１のハウジング壁が前記アダプタ内に受け入れられ、前記第１のアダプタ壁の内側に位置する時、前記第１のアダプタ壁は、第１の方向を向いており、前記第１の方向と反対の第２の方向における前記第１のハウジング壁の移動が、前記第１のアダプタ壁によって制限されるようになっている、請求項１に記載のコネクタアセンブリ。
【請求項３】
前記第１のハウジング壁は、前記第２の方向を向いている、請求項２に記載のコネクタアセンブリ。
【請求項４】
前記第２の方向における前記第１のハウジング壁の移動が前記第１のアダプタ壁によって制限される時、前記フェルールの前記対合端は、前記第１の方向を向き、前記第１のアダプタ壁の内側に位置している、請求項２に記載のコネクタアセンブリ。
【請求項５】
前記第２の方向における前記第１のハウジング壁の移動が前記第１のアダプタ壁によって制限される時、前記フェルールの前記対合端は、前記第１の方向において、前記第１のハウジング壁から離間している、請求項４に記載のコネクタアセンブリ。
【請求項６】
前記第１のハウジング壁が前記アダプタ内に受け入れられ、前記第１のアダプタ壁の内側に位置する時、前記第１のハウジング壁は、移動可能である、請求項２に記載のコネクタアセンブリ。
【請求項７】
前記アダプタは、前記第１のアダプタ壁と反対側の第２のアダプタ壁を備え、前記第１のハウジング壁が前記アダプタ内に受け入れられ、前記第１のアダプタ壁の内側に位置する時、前記第１のハウジング壁は、前記第１及び第２のアダプタ壁間に位置するようになっている、請求項２に記載のコネクタアセンブリ。
【請求項８】
前記ハウジング装置は、前記第１のハウジング壁と反対側の第２のハウジング壁を備え、前記第１のハウジング壁が前記アダプタ内に受け入れられ、前記第１のアダプタ壁の内側に位置する時、前記第１のハウジング壁は、前記第１のアダプタ壁に面し、それらの間に第１の距離を画定し、前記第２のハウジング壁は、前記第２のアダプタ壁に面し、それらの間に第２の距離を画定し、前記第１及び第２の距離の合計は、ゼロよりも大きいことを特徴とする、請求項７に記載のコネクタアセンブリ。
【請求項９】
前記第１の距離は、前記第１のハウジング壁のピーク及び前記第１のアダプタ壁のピークによって画定される第１の間隙であり、前記第２の距離は、前記第２のハウジング壁のピーク及び前記第２のアダプタ壁のピークによって画定される第２の間隙であり、前記第１及び第２の間隙の合計は、少なくとも０．１ｍｍである、請求項８に記載のコネクタアセンブリ。
【請求項１０】
前記第１及び第２の間隙の合計は、少なくとも０．５ｍｍである、請求項９に記載のコネクタアセンブリ。
【請求項１１】
前記第１のハウジング壁は、ＬＣコネクタのレバーの段によって画定され、前記第１のアダプタ壁は、前記アダプタを貫通する孔又は前記アダプタ内に延在する空洞の一部であり、前記第１のハウジング壁が前記アダプタ内に受け入れられると、前記レバーの前記段は、前記アダプタ内の前記孔又は前記アダプタ内に延在する前記空洞内に受け入れられるようになっている、請求項２に記載のコネクタアセンブリ。
【請求項１２】
前記ハウジング装置は、ＳＣコネクタの一部を形成し、前記ハウジングは、溝を画定し、キャッチとして作用する突起を備え、前記第１のハウジング壁は、前記溝の一部を画定し、前記第１のアダプタ壁は、フランジの端を画定し、前記第１のハウジング壁が前記アダプタ内に受け入れられると、前記フランジの前記端は、前記ハウジングの前記溝内に受け入れられるようになっている、請求項２に記載のコネクタアセンブリ。
【請求項１３】
前記アダプタは、ベースプレートを備え、前記センサは、前記ベースプレート上に取り付けられている、請求項１に記載のコネクタアセンブリ。
【請求項１４】
前記センサは、前記ハウジング装置の前記後端に取り付けられており、前記アダプタは、ベースプレート及び前記ベースプレートから延在するポストを備え、前記センサが前記ハウジング装置の前記後端によって加えられた力を検出する時、前記センサは、前記ポストに当接している、請求項１に記載のコネクタアセンブリ。
【請求項１５】
前記センサは、力センサである、請求項１に記載のコネクタアセンブリ。
【請求項１６】
前記センサは、変位センサである、請求項１に記載のコネクタアセンブリ。
【請求項１７】
前記所定の力が前記ハウジング装置によって加えられたことを示す表示は、第２の所定の力が前記フェルールの前記対向端に加えられたことを示すようになっている、請求項１に記載のコネクタアセンブリ。
【請求項１８】
前記ハウジング装置は、前記ハウジングの後端から延在する延長装置を更に備え、前記延長装置の後端は、前記ハウジング装置の前記後端を画定している、請求項１に記載のコネクタアセンブリ。
【請求項１９】
前記センサは、前記延長装置の前記後端に取り付けられている、請求項１８に記載のコネクタアセンブリ。
【請求項２０】
前記延長装置は、前記ハウジング及び前記延長装置のいずれかが破損しない限り前記ハウジングから分離することができないようになっている、請求項１８に記載のコネクタアセンブリ。
【請求項２１】
前記延長装置は、前記ハウジング上又は前記ハウジング内にねじ込まれている、請求項１８に記載のコネクタハウジング。
【請求項２２】
前記延長装置は、内側延長体及び前記内側延長体に取り付けられた外側延長体を備え、前記内側延長体は、前記ハウジングの前記後端に直接取り付けられ、前記外側延長体は、前記内側延長体から半径方向外方に延在し、前記センサの検出対象となる力は、前記外側延長体によって加えられるようになっている、請求項１８に記載のコネクタアセンブリ。
【請求項２３】
前記内側及び外側延長体は、チューブであり、前記外側延長体は、前記内側延長体を周方向に包囲して前記内側延長体に取り付けられている、請求項２２に記載のコネクタアセンブリ。
【請求項２４】
アダプタと、
前記アダプタによって受入れ可能なハウジングを備え、孔、前端、及び前記前端と反対側の後端を有するハウジング装置と、
前記ハウジングの前記孔内に位置するフェルールであって、前記ハウジング装置の前記前端を超えて延在する対合端を有する、フェルールと、
前記ハウジング装置の前記後端又は前記ハウジング装置の前記後端と向き合って離間する前記アダプタに取り付けられたセンサであって、前記センサは、前記ハウジング装置の平行移動を検出するように構成され、前記センサの電気特性が変化し、これによって、前記ハウジング装置の所定位置への平行移動を示すようになっている、センサと、
を備えるコネクタアセンブリ。
【請求項２５】
前記ハウジング装置が前記所定位置に平行移動したことを示す表示は、前記フェルールの前記対合端が第２の所定位置に平行移動したことを示すようになっている、請求項２４に記載のコネクタアセンブリ。
【請求項２６】
前記ハウジング装置及び前記フェルールは、同一距離を平行移動するようになっている、請求項２５に記載のコネクタアセンブリ。
【請求項２７】
前記ハウジング装置は、前記ハウジングの後端から延在する延長装置を更に備え、前記延長装置の後端は、前記ハウジング装置の前記後端を画定している、請求項２４に記載のコネクタアセンブリ。
【請求項２８】
アダプタと、
前記アダプタによって受入れ可能なハウジングを備え、孔、前端、及び前記前端と反対側の後端を有するハウジング装置であって、前記孔は、前記ハウジングの前記後端において開口を画定している、ハウジング装置と、
前記ハウジングの前記孔内に位置するフェルールを備え、前記ハウジングの前記前端を超えて延在する対合端を有するフェルールアセンブリであって、前端及び前記前端と反対側の後端を有する、フェルールアセンブリと、
前記フェルールアセンブリの前記後端又は前記フェルールアセンブリの前記後端と向き合って離間する前記アダプタに取り付けられたセンサであって、前記センサは、（ｉ）前記フェルールアセンブリの前記後端によって加えられた力又は（ｉｉ）前記フェルールアセンブリの平行移動の少なくとも１つを検出するように構成され、前記センサの電気特性が変化し、これによって、（ｉ）前記センサが前記フェルールアセンブリの前記後端に加えられた力を検出するように構成されている場合前記フェルールアセンブリによって加えられた所定の力又は（ｉｉ）前記センサが前記フェルールアセンブリの平行移動を検出するように構成されている場合前記フェルールアセンブリの所定位置への平行移動の少なくとも１つを示すようになっている、センサと、
を備えるコネクタアセンブリ。
【請求項２９】
前記アダプタは、ベースプレートを備え、前記センサは、前記ベースプレート上に取り付けられている、請求項２８に記載のコネクタアセンブリ。
【請求項３０】
前記センサは、ベースモジュール及び前記ベースモジュールから延在する変位可能なプローブを備え、前記センサの電気特性が変化し、これによって、前記ハウジング装置が前記所定位置に平行移動したことを前記プローブに作用する力又は前記プローブの変位の関数として示すようになっている、請求項２８に記載のコネクタアセンブリ。
【請求項３１】
前記センサは、前記フェルールアセンブリの前記後端に取り付けられ、前記センサが（ｉ）前記フェルールアセンブリの前記後端によって加えられた力及び（ｉｉ）前記フェルールアセンブリの平行移動のいずれかを検出する時、前記フェルールアセンブリの前記後端は、前記ハウジング装置の外側にある、請求項２８のコネクタアセンブリ。
【請求項３２】
前記アダプタは、ベースプレート及び前記ベースプレートから延在するポストを備え、前記センサが（ｉ）前記フェルールアセンブリの前記後端によって加えられた力及び（ｉｉ）前記フェルールアセンブリの平行移動のいずれかを検出する時、前記センサ（２５３０）は、前記ポストと当接している、請求項２８に記載のコネクタアセンブリ。
【請求項３３】
前記センサは、力センサである、請求項２８に記載のコネクタアセンブリ。
【請求項３４】
前記センサは、変位センサである、請求項２８に記載のコネクタアセンブリ。
【請求項３５】
前記所定の力が前記ハウジング装置によって加えられたことを示す表示は、第２の所定の力が前記フェルールの前記対合端に加えられたことを示すようになっている、請求項２８に記載のコネクタアセンブリ。
【請求項３６】
前記フェルールアセンブリは、前記フェルールの後端から延在する延長装置を更に備え、前記延長装置の後端は、前記フェルールアセンブルの前記後端を画定している、請求項２８に記載のコネクタアセンブリ。
【請求項３７】
前記センサは、前記延長装置の前記後端に取り付けられている、請求項３６に記載のコネクタアセンブリ。
【請求項３８】
前記延長装置は、前記フェルール及び前記延長装置のいずれかを破損させない限り前記ハウジングから分離することができないようになっている、請求項３６に記載のコネクタアセンブリ。
【請求項３９】
前記延長装置は、前記フェルール上又は前記フェルール内にねじ込まれている、請求項３６に記載のコネクタアセンブリ。
【請求項４０】
前記延長装置は、内側延長体及び前記内側延長体に取り付けられた外側延長体を備え、前記内側延長体は、前記フェルールの前記後端に直接取り付けられ、前記外側延長体は、前記内側延長体から半径方向に延在し、前記センサの検出対象となる力は、前記外側延長体の前記後端によって加えられるようになっている、請求項３６に記載のコネクタアセンブリ。
【請求項４１】
前記内側及び外側延長体は、チューブであり、前記外側延長体は、前記内側延長体を周方向に包囲して前記内側延長体に取り付けられている、請求項４０に記載のコネクタアセンブリ。
【請求項４２】
前記センサは、前記ハウジングの前記孔内に延在するプローブを備え、前記プローブは、前記フェルールアセンブリと真っ直ぐに並んでおり、前記センサが（ｉ）前記フェルールアセンブリの前記後端によって加えられた力及び（ｉｉ）前記フェルールアセンブリの平行移動のいずれかを検出する時、前記フェルールアセンブリは、前記プローブに接触している、請求項２８に記載のコネクタアセンブリ。
【発明の詳細な説明】
【技術分野】
【０００１】
［関連出願の相互参照］
本願は、２０１７年３月２０日に出願された米国仮特許出願第６２／４７３，８７２号及び２０１７年２月１日に出願された米国仮特許出願第６２／４５３，４４９号の利得を主張する２０１８年１月５日に出願された米国特許出願第１５／８６３，３３１号の継続であり、２０１６年５月１９日に出願された米国仮特許出願第６２／３３８，６９７号、２０１５年１２月２２日に出願された米国仮特許出願第６２／２７１，０４９号、２０１５年９月１７日に出願された米国仮特許出願第６２／２２０，１２０号、２０１５年８月２１日に出願された米国仮特許出願第６２／２０８、４４３号、及び２０１５年１月１日に出願された米国仮特許出願第６２／１８７，６７３号の出願日の利得を主張する２０１６年１月１日に出願された米国特許出願第１５／２００，４８９号（米国特許出願公開第２０１７／０００３４５９Ａ１号）の一部継続であり、これらの開示内容は、参照することによって、ここに含まれるものとする。
【０００２】
［発明の分野］
本技術は、一般的に、光コネクタ及び電気コネクタに関し、更に詳細には、このような装置の接続の検出に関する。
【背景技術】
【０００３】
光ファイバ及び電線は、それぞれ、対向する光ファイバ及び電線に光学的又は電気的に接続され、接続されたファイバ間及び接続された電線間に信号を伝送するものである。このようなファイバ間及び電線間の信号の伝送は、データ記憶装置及びデータ伝送装置の操作において行なわれる。対向する光ファイバのそれぞれの端及び対向する電線のそれぞれの端は、コネクタによって保持される。対向する光ファイバ間及び対向する電線間の接続を達成するために、対向する光ファイバ及び対向する電線は、それぞれ、互いに対して取り付けられるか、又はいずれもがアダプタに取り付けられるようになっている。
【０００４】
光ファイバコネクタ間及び電線コネクタ間のそれぞれの接続は、光ファイバの場合、「ＬＣコネクタ」及び「ＳＣコネクタ」に見られるような「クリックーロック（clock-to lock）」構成を用いて行なわれることが多い。なお、電線コネクタ及び該電線コネクタによって保持される電線は、配線用ハーネスと呼ばれることが多い。このような構成は、これらのコネクタが互いに接続された時又は対応するアダプタに接続された時に引抜き等によるコネクタの離脱を防止すると共に、これらのコネクタを互いに取り付けているか又は対応するアダプタに取り付けているユーザーに対して、意図されない離脱が阻止される完全な接続がなされたことを知らせる触覚フィードバックをもたらすことができる。
【０００５】
場合によっては、ユーザーによって検出されないコネクタ間又はコネクタ及びアダプタ間の不完全な接続が生じることがある。加えて、コネクタの使用中に生じる疲労又は他の応力がコネクタ間又はコネクタ及びアダプタ間の機械的な接続を弱め、接続を損なうか又は不十分にすることもある。このような不完全な又は損なわれた接続は、システム性能の低減、更に完全なシステム故障を生じさせることになる。
【発明の概要】
【発明が解決しようとする課題】
【０００６】
従って、適切な光ファイバ接続及び適切な電線接続がなされ、且つ維持されることを検出することが必要とされている。
【課題を解決するための手段】
【０００７】
本技術の一態様によれば、コネクタは、対合コネクタを受け入れるためのレセプタクルと、レセプタクルに取り付けられた電気スイッチとを備えているとよい。コネクタ及び対合コネクタは、制限されないが、嵌合型の光コネクタ又は電気コネクタであるとよい。対合コネクタがレセプタクル内の所定位置に受け入れられた時、電気スイッチは、対合コネクタが所定位置に受け入れられたことを示す電気信号を生成するか又はそのような電気信号の生成を停止することになる。
【０００８】
本技術の他の態様によれば、エネルギー伝搬コネクタアセンブリは、エネルギー伝搬コネクタと、エネルギー伝搬コネクタと嵌合する対合コネクタとを備えているとよい。このようなエネルギー伝搬コネクタは、対合コネクタを受け入れるように寸法決めされたレセプタクルと、レセプタクルに取り付けられた電気スイッチとを備えているとよい。対合コネクタがレセプタクル内の所定位置に受け入れられた時、電気スイッチは、対合コネクタが所定位置に受け入れられたことを示す電気信号を生成するか又はそのような電気信号の生成を停止することになる。
【０００９】
いくつかの構成では、エネルギー伝搬コネクタは、光ファイバを保持するための光コネクタ又は導電要素を保持するための電気コネクタであってもよい。従って、このようないくつかの構成では、対合コネクタが所定位置に受け入れられ、光ファイバ又は導電要素を保持している時、光ファイバ又は導電要素は、エネルギー伝搬コネクタ内の所定の整列位置に配置されていることになる。
【００１０】
本技術の他の態様によれば、エネルギー伝搬コネクタは、該エネルギー伝搬コネクタと嵌合する対合コネクタを受け入れるように寸法決めされたレセプタクルと、センサとを備えているとよい。センサは、レセプタクルに取り付けられているとよい。対合コネクタがレセプタクル内の所定位置に受け入れられた時、センサは、レセプタクルの所定位置における対合コネクタの受入れを検出し、対合コネクタが所定位置に受け入れられたことを示す電気信号を生成するか又はそのような電気信号の生成を停止することになる。
【００１１】
いくつかの構成では、エネルギー伝搬コネクタは、エネルギー信号伝搬コネクタであってもよい。いくつかのこのような構成では、エネルギー信号伝搬コネクタは、データに対応する光信号を伝搬する光ファイバ又はデータに対応する電気信号を伝搬する導電要素を保持するための光信号伝搬コネクタ又は電気信号伝搬コネクタであってもよい。このようなデータは。ネットワーク機器又はサーバ機器、例えば、制限されないが、データセンタに見られる機器に転送されるデータであってもよいし、又はこのような機器から転送されるデータであってもよい。
【００１２】
いくつかのこのような構成では、エネルギー信号伝搬コネクタは、光ファイバ又は導電要素を保持するための光コネクタ又は電気コネクタであってもよい。いくつかのこのような構成では、対合コネクタが所定位置に受け入れられ、光ファイバ又は導電要素を保持している時、光ファイバ又は導電要素は、エネルギ伝搬コネクタ内の所定の整列位置に配置されていることになる。
【００１３】
いくつかの構成では、センサは、電気−光センサであってもよい。電気−光センサは、例えば、制限されないが、位置センサであってもよいし、又は光電センサであってもよい。位置センサは、対象物が位置センサによって送られる光を遮断した時に信号を生成するものである。光電センサは、光電センサと対象物との間の距離の検出及び対象物の有無の検出の少なくとも１つを行うものである。
【００１４】
いくつかの構成では、センサは、電気スイッチであってもよい。これによって、対合コネクタがレセプタクル内の所定位置に受け入れられた時、電気スイッチは、対合コネクタと接触し、対合コネクタが所定位置に受け入れられていることを示す電気信号を生成するか又はそのような電気信号の生成を停止することになる。
【００１５】
本技術の他の態様によれば、エネルギー伝搬コネクタアセンブリは、エネルギー伝搬コネクタと、エネルギー伝搬コネクタと対合する対合コネクタとを備えているとよい。このようなエネルギー伝搬コネクタは、対合コネクタを受け入れるように寸法決めされたレセプタクルと、レセプタクルに取り付けられたセンサとを備えているとよい。対合コネクタがレセプタクル内の所定位置に受け入れられた時、センサは、レセプタクル内の所定位置における対合コネクタの受入れを検知し、対合コネクタが所定位置に受け入れられていることを示す電気信号を生成するか又はそのような電気信号の生成を停止することになる。
【００１６】
いくつかの構成では、エネルギー伝搬コネクタは、光ファイバ又は導電要素を保持するための光コネクタ又は電気コネクタであってもよい。これによって、いくつかのこのような構成では、対合コネクタが所定位置に受け入れられ、光ファイバ又は導電要素を保持している時、光ファイバ又は導電要素は、エネルギー伝搬コネクタ内の所定の整列位置に配置されていることになる。
【００１７】
本技術の他の態様によれば、エネルギー伝搬コネクタアセンブリは、エネルギー伝搬コネクタと対合する対合コネクタを受け入れるように寸法決めされたレセプタクルと、レセプタクルに連結するように構成されたフレームに取り付けられたセンサとを備えているとよい。フレームがレセプタクルに連結され、対合コネクタがレセプタクル内の所定位置に受け入れられた時、センサは、レセプタクル内の所定位置における対合コネクタの受入れを検出し、対合コネクタが所定位置に受け入れられたことを示す電気信号を生成するか又はそのような電気信号の生成を停止することになる。
【００１８】
いくつかの構成では、エネルギー伝搬コネクタは、光ファイバ又は導電要素を保持するための光コネクタ又は電気コネクタであってもよい。これによって、いくつかのこのような構成では、対合コネクタが所定位置に受け入れられ、光ファイバ又は導電要素を保持している時、光ファイバ又は導電要素は、エネルギー伝搬コネクタ内の所定の整列位置に配置されていることになる。
【００１９】
いくつかの構成では、センサは、レセプタクルを通して該レセプタクル内の所定位置ににおける対合コネクタの受入れを検出するようになっていてもよい。
【００２０】
本技術の他の態様によれば、コネクタアセンブリは、ハウジング、フェルール、及びセンサを備えているとよい。ハウジングは、孔を有しているとよい。フェルールは、ハウジングの孔内において平行移動可能であるとよい。センサは、ハウジングの孔内に取り付けられるとよく、フェルールの平行移動を検出するように構成されているとよい。フェルールのこのような検出時に、センサの電気特性が変化し、これによって、フェルールの所定位置への平行移動を示すことが可能になる。
【００２１】
いくつかの構成では、センサは、フェルールの平行移動中にフェルールに接触するように構成されたプローブを備えていてもよい。これによって、プローブは、フェルールとの接触中、フェルールと一緒に平行移動することができる。センサの電気特性が変化し、これによって、フェルールの所定位置への平行移動をプローブの平行移動の関数として示すことが可能になる。このようなプローブは、静止位置から後退する後退可能なプローブであってもよい。
【００２２】
いくつかの構成では、センサは、圧力センサであってもよいし、又は変位センサであってもよい。
【００２３】
いくつかの構成では、コネクタアセンブリは、フェルールと当接する弾性要素を備えていてもよい。このような構成では、センサは、フェルールの平行移動中に弾性要素の長さの変化を検出することになる。
【００２４】
いくつかの構成では、コネクタアセンブリは、フェルールを貫通する一部を有する光ファイバを備えていてもよい。このような構成では、フェルールは、フェルールを貫通する光ファイバの一部の位置を保持するようになっていてもよい。
【００２５】
いくつかの構成では、コネクタアセンブリは、ケーブルを備えていてもよい。ケーブルは、ケーブルの長さに沿って配置される第２のセンサを備えていてもよい。このような構成では、第２のセンサが位置するケーブルの表面が変形する時、第２のセンサの電気特性が変化するようになっていてもよい。いくつかのこのような構成では、第２のセンサの変化した電気特性に対応する電気信号が遠隔電子素子に導通され、少なくとも最小値を有する時、警告信号が遠隔電子素子によって生成されるようになっていてもよい。
【００２６】
本技術の他の態様によれば、コネクタアセンブリは、ハウジング、フェルール、及び第１及び第２の導電性接点を備えているとよい。ハウジングは、孔を有しているとよい。フェルールは、ハウジングの孔内において平行移動可能であるとよい。第１の導電性接点は、ハウジングに取り付けられているとよい。第２の導電性接点は、フェルールに取り付けられているとよい。第２の導電性接点は、フェルールの平行移動中に第１及び第２の位置間において移動可能になっているとよい。第２の導電性接点は、フェルールが平行移動の第１の位置にある時、第１の導電性接点に導電的に連結され、フェルールが平行移動の第２の位置にある時、第１の導電性接点に導電的に連結されないようになっているとよい。
【００２７】
本技術の他の態様によれば、システムは、回路、ハウジング、フェルール、及び第１及び第２の導電性接点を備えているとよい。回路は、制御信号を周辺構成要素に供給するように構成されているとよい。ハウジングは、孔を有していているとよい。フェルールは、ハウジングの孔内において平行移動可能になっているとよい。第１の導電性接点は、ハウジングに取り付けられているとよい。第２の導電性接点は、フェルールの端に取り付けられているとよい。第２の導電性接点は、フェルールの平行移動中に第１及び第２の位置間において移動可能になっているとよい。第２の導電性接点は、フェルールが平行移動の第１の位置にある時、第１の導電性接点に導電的に連結され、フェルールが平行移動の第２の位置にある時、第１の導電性接点に導電的に連結されないようになっているとよい。
【００２８】
いくつかの構成では、回路は、論理回路であってもよい。いくつかのこのような構成では、システムは、論理システムであってもよい。
【００２９】
いくつかの構成では、第１及び第２の導電性接点が互いに導電的に連結された時、回路が制御信号を周辺構成要素に供給しないようになっていてもよい。
【００３０】
いくつかの構成では、第１及び第２の導電性接点が互いに導電的に連結された時、回路が制御信号を周辺構成要素に供給するようになっていてもよい。
【００３１】
本技術の他の態様によれば、コネクタアセンブリは、アダプタ、ハウジング、フェルール、及びセンサを備えているとよい。ハウジングは、アダプタに受け入れられるようになっているとよく、孔を有しているとよい。フェルールは、ハウジングの孔内において平行移動可能になっているとよい。センサは、ハウジングに取り付けられていてもよいし、又はアダプタに取り付けられていてもよい。センサの電気特性が変化し、これによって、フェルールの所定位置への平行移動を示すことが可能になる。
【００３２】
いくつかの構成では、センサは、ハウジングの壁の外部に取り付けられていてもよい。ハウジングの壁は、ハウジングの孔を画定し、該壁の外部は、孔の反対側に位置していてもよい。
【００３３】
いくつかの構成では、センサは、プローブを備えていてもよい。プローブは、センサがハウジングに取り付けられた場合アダプタに接触し、センサがアダプタに取り付けられた場合、ハウジングに接触するように構成されていてもよい。これによって、プローブは、センサがハウジングに取り付けられた場合アダプタに対して平行移動するか又は平行移動させられ、センサがアダプタに取り付けられた場合ハウジングに対して平行移動するか又は平行移動させられることになる。プローブのこのような平行移動は、アダプタ又はハウジングに対するプローブのこのような接触中、フェルールの平行移動に比例するようになっていてもよい。センサの電気特性が変化し、これによって、フェルールが所定位置に平行移動したことをプローブの平行移動の関数として示すことが可能になる。
【００３４】
いくつかの構成では、センサは、変位センサであってもよい。いくつかの他の構成では、センサは、力センサ、例えば、圧力センサであってもよい。
【００３５】
いくつかの構成では、コネクタアセンブリは、ハウジングから延在する突起を更に備えていてもよい。いくつかのこのような構成では、センサがハウジングに取り付けられる場合、該センサは、突起に取り付けられてもよく、又はセンサがアダプタに取り付けられる場合、プローブが突起に接触するように構成されてもよい。
【００３６】
いくつかの構成では、ハウジングは、本体及び本体から延在する突起を備えていてもよい。センサは、本体と突起との間において本体及び突起のいずれに取り付けられていてもよい。センサは、プローブを備えていてもよい。プローブは、センサが本体に取り付けられる場合に突起に接触するように構成され、センサが突起に取り付けられる場合に本体に接触するように構成されていてもよい。これによって、プローブは、センサが本体に取り付けられた場合突起と共に平行移動するか又は平行移動させられ、センサが突起に取り付けられた場合本体と共に平行移動するか又は平行移動させられることになる。プローブのこのような平行移動は、突起又は本体に対するこのような接触中、フェルールの平行移動と比例するようになっていてもよい。センサの電気特性が変化し、これによって、フェルールの所定位置への平行移動をプローブの平行移動の関数として示すことが可能になる。
【００３７】
いくつかのこのような構成では、突起は、センサが本体に取り付けられる場合、本体にヒンジ接続されていてもよい。いくつかのこのような構成では、突起は、本体と一体になっていてもよい。
【００３８】
いくつかの構成では、コネクタアセンブリは、ハウジングから延在する突起を更に備えていてもよい。センサは、ハウジングに取り付けられる場合突起に取り付けられていてもよく、アダプタに取り付けられる時突起と接触するように構成されていてもよい。フェルールが最小距離にわたって平行移動する間、センサがハウジングに取り付けられた場合、センサがアダプタからの力によって押圧され、又はセンサがアダプタに取り付けられた場合、突起がセンサに対する力によって押圧されるようになっていてもよい。センサの電気特性が変化し、これによって、フェルールの所定位置への平行移動をセンサに対して作用する力の関数として示すことが可能になる。
【００３９】
いくつかの構成では、ハウジングは、本体及び本体から延在する突起を備えていてもよい。センサは、本体と突起との間において本体及び突起のいずれに取り付けられていてもよい。センサは、突起に取り付けられる場合本体に接触するように構成され、本体に取り付けられる場合突起に接触するように構成されていてもよい。フェルールが最小距離にわたって平行移動する間、センサが突起に取り付けられた場合センサが本体に対する力によって押圧され、センサが本体に取り付けられた場合突起がセンサに対する力によって押圧されるようになっていてもよい。センサの電気特性が変化し、これによって、フェルールの所定位置への平行移動をセンサに作用する力の関数として示すことが可能になる。
【００４０】
いくつかのこれらの構成では、センサが本体に取り付けられる場合、本体にヒンジ接続されていてもよい。いくつかの他のこのような構成では、突起は、本体と一体化されていてもよい。
【００４１】
本技術の他の態様によれば、コネクタアセンブリは、アダプタ、ハウジング装置、フェルール、及びセンサを備えているとよい。ハウジング装置は、アダプタによって受入れ可能なハウジングを備え、孔、前端、及びハウジングの前端と反対側の後端を有しているとよい。フェルールは、ハウジングの孔内に少なくとも部分的に受け入れられるようになっているとよく、ハウジングの前端を超えて延在する対合端を有しているとよい。センサは、ハウジング装置の後端又はアダプタに取り付けられているとよい。センサがアダプタに取り付けられる場合、センサは、ハウジング装置の後端と向き合って離間しているとよい。センサは、ハウジング装置の後端によって加えられた力を検出するように構成されているとよく、又はいくつかの構成では、ハウジング装置の他の構成部品が、ハウジングと共に平行移動するようにハウジングに固定されていてもよい。センサの電気特性が変化し、これによって、所定の力がハウジング装置によって加えられたことを示すことが可能になる。
【００４２】
いくつかの構成では、アダプタが第１のアダプタ壁を備え、ハウジング装置が第１のハウジング壁を備えていてもよい。このようにして、第１のハウジング壁がアダプタ内に受け入れられ、第１の方向を向く第１のアダプタ壁の内側にある時、第１の方向と反対の第２の方向における第１のハウジング壁の移動が、第１のアダプタ壁によって制限されるようになっていてもよい。
【００４３】
いくつかの構成では、第１のハウジング壁は、第２の方向を向いていてもよい。
【００４４】
いくつかの構成では、第２の方向における第１のハウジング壁の移動が第１のアダプタ壁によって制限される時、フェルールの対合端は、第１の方向を向き、第１のアダプタ壁の内側に位置していてもよい。
【００４５】
いくつかの構成では、第２の方向における第１のハウジング壁の移動が第１のアダプタ壁によって制限される時、フェルールの対合端は、第１の方向において、第１のハウジング壁から離間していてもよい。
【００４６】
いくつかの構成では、第１のハウジング壁がアダプタ内に受け入れられ、第１のアダプタ壁の内側に位置する時、第１のハウジング壁は、移動可能であってもよい。
【００４７】
いくつかの構成では、アダプタは、第１のアダプタ壁と反対側の第２のアダプ壁を備えていてもよい。いくつかの構成では、第１のハウジング壁がアダプタ内に受け入れられ、第１のアダプタ壁の内側に位置する時、第１のハウジング壁は、第１のアダプタ壁と第２のアダプタ壁との間に位置するようになっていてもよい。
【００４８】
いくつかの構成では、ハウジング装置は、第１のハウジング壁と反対側の第２のハウジング壁を備えていてもよい。第１のハウジング壁がアダプタ内に受け入れられ、第１のアダプタ壁の内側に位置する時、第１のハウジング壁は、第１のアダプタ壁に面し、第１のハウジング壁と第１のアダプタ壁との間に第１の距離を画定し、第２のハウジング壁は、第２のアダプタ壁に面し、第２のハウジング壁と第２のアダプタ壁との間に第２の距離を画定するようになっていてもよい。この場合、第１及び第２の距離の合計は、ゼロよりも大きくなっていてもよい。
【００４９】
いくつかのこのような構成では、第１の距離は、第１のハウジング壁のピーク及び第１のアダプタ壁のピークによって画定される第１の間隙であってもよい。第２の距離は、第２のハウジング壁のピーク及び第２のアダプタ壁のピークによって画定される第２の間隙であってもよい。この場合、第１及び第２の間隙の合計は、ゼロよりも大きくなっていてもよい。いくつかのこのような構成では、第１及び第２の間隙の合計は、少なくとも０．１ｍｍであってもよい。いくつかのこれらの構成では、第１及び第２の間隙の合計は、少なくとも０．５ｍｍであってもよい。
【００５０】
いくつかの構成では、第１のハウジング壁は、ＬＣコネクタのレバーの段によって画定されていてもよい。第１のアダプタ壁は、アダプタを貫通する孔又はアダプタ内に延在する空洞の一部であってもよい。この場合、第１のハウジング壁がアダプタ内に受け入れられると、レバーの段は、アダプタ内の孔又はアダプタ内に延在する空洞内に受け入れられるようになっていてもよい。
【００５１】
いくつかの構成では、ハウジング装置は、ＳＣコネクタの一部を形成していてもよい。ハウジングは、溝を画定し、キャッチとして作用する突起を備えていてもよい。キャッチは、制限されないが、フランジのフックと相互作用するようになっていてもよい。第１のハウジング壁は、溝の一部を画定していてもよい。第１のアダプタ壁は、フランジの端を画定していてもよい。第１のハウジング壁がアダプタ内に受け入れられると、フランジの端がハウジングの溝内に受け入れられるようになっていてもよい。
【００５２】
いくつかの構成では、アダプタは、ベースプレートを備え、センサは、ベースプレート上に取り付けられていてもよい。
【００５３】
いくつかの構成では、センサは、ハウジング装置の後端に取り付けられていてもよい。いくつかのこのような構成では、アダプタは、ベースプレート及びベースプレートから延在するポストを備えていてもよい。センサがハウジング装置の後端によって加えられた力を検出する時、センサがポストに当接していてもよい。
【００５４】
いくつかの構成では、センサは、力センサであってもよい。
【００５５】
いくつかの構成では、センサは、変位センサであってもよい。
【００５６】
いくつかの構成では、所定の力がハウジング装置によって加えられたことを示す表示は、第２の所定の力がフェルールの対向端に加えられたことを示すようになっていてもよい。
【００５７】
いくつかの構成では、ハウジング装置は、ハウジングの後端から延在する延長装置を更に備えていてもよい。いくつかのこのような構成では、延長装置の後端がハウジング装置の後端を画定していてもよい。
【００５８】
いくつかの構成では、センサは、延長装置の後端に取り付けられていてもよい。
【００５９】
いくつかの構成では、延長装置は、ハウジング及び延長装置のいずれかが破損しない限りハウジングから分離することができないようになっていてもよい。
【００６０】
いくつかの構成では、延長装置は、ハウジング上又はハウジング内にねじ込まれていてもよい。
【００６１】
いくつかの構成では、延長装置は、内側延長体及び内側延長体に取り付けられた外側延長体を備えていてもよい。内側延長体は、ハウジングの後端に直接取り付けられ、外側延長体は、側延長体から半径方向外方に延在していてもよい。センサの検出対象となる力は、外側延長体に加えられるようになっていてもよい。
【００６２】
いくつかの構成では、内側及び外側延長体は、チューブの形態にあってもよい。いくつかのこのような構成では、外側延長体は、内側延長体を周方向に包囲して内側延長体に取り付けられていてもよい。いくつかのこのような構成では、外側延長体は、内側延長体上にねじ込まれていてもよい。
【００６３】
本技術の他の態様によれば、コネクタアセンブリは、アダプタ、ハウジング装置、フェルール、及びセンサを備えているとよい。ハウジング装置は、アダプタによって受入れ可能なハウジングを備え、孔、前端、及び前端と反対側の後端を有しているとよい。フェルールは、ハウジングの孔内に位置しているとよく、ハウジングの前端を超えて延在する対合端を有しているとよい。センサは、ハウジング装置の後端又はアダプタに取り付けられているとよい。センサは、アダプタ上に取り付けられる場合、ハウジング装置の後端と向き合って離間しているとよい。センサは、ハウジング装置の平行移動を検出するように構成されているとよい。従って、センサの電気特性が変化し、これによって、ハウジング装置が所定位置に平行移動したことを示すことが可能になる。
【００６４】
いくつかの構成では、ハウジング装置が所定位置に平行移動したことを示す表示は、フェルールの対合端が第２の所定位置に平行移動したことを示すようになっていてもよい。
【００６５】
いくつかの構成では、ハウジング装置及びフェルールは、同一距離を平行移動するようになっていてもよい。
【００６６】
いくつかの構成では、センサは、ベースモジュールと、ベースモジュールから延在する変位可能なプローブとを備えていてもよい。これによって、センサの電気特性が変化し、これによって、ハウジング装置が所定位置に平行移動したことをプローブに作用する力又はプローブの変位の関数として示すことが可能になる。
【００６７】
いくつかの構成では、ハウジング装置は、ハウジングの後端から延在する延長装置を更に備えていてもよい。いくつかのこのような構成では、延長装置の後端は、ハウジング装置の後端を画定していてもよい。
【００６８】
本技術の他の態様によれば、コネクタアセンブリは、アダプタ、ハウジング装置、フェルールアセンブリ、及びセンサを備えているとよい。ハウジング装置は、アダプタによって受入れ可能なハウジングを備えているとよい。ハウジングは、孔、前端、及び前端と反対側の後端を有しているとよい。ハウジングを通る孔は、ハウジングの後端、いくつかの構成では、ハウジング装置の後端において、開口を画定しているとよい。フェルールアセンブリは、ハウジングの孔内に位置するフェルールを備え、ハウジングの前端を超えて延在する対合端を有しているとよい。フェルールアセンブリは、前端及び前端の反対側の後端を有しているとよい。センサは、フェルールアセンブリの後端又はフェルールアセンブリの後端と向き合って離間するアダプタに取り付けられているとよい。センサは、（ｉ）フェルールアセンブリの後端によって加えられた力又は（ｉｉ）フェルールアセンブリの平行移動のいずれか又は両方を検出するように構成されているとよい。従って、センサの電気特性が変化し、これによって、センサがフェルールアセンブリの後端に加えられた力を検出するように構成されている場合フェルールアセンブリによって加えられた所定の力又はセンサがフェルールアセンブリの平行移動を検出するように構成されている場合フェルールアセンブリの所定位置への平行移動のいずれか又は両方を示すことが可能になる。
【００６９】
いくつかの構成では、アダプタは、ベースプレートを備え、センサは、ベースプレート上に取りつけられていてもよい。
【００７０】
いくつかの構成では、センサは、ベースモジュールとベースモジュールから延在する変位可能なプローブとを備えていてもよい。これによって、センサの電気特性が変化し、これによって、ハウジング装置が所定位置に平行移動したことをプローブに作用する力又はプローブの平行移動の関数として示すことが可能になる。
【００７１】
いくつかの構成では、センサは、フェルールアセンブリの後端に取り付けられていてもよい。いくつかのこのような構成では、センサが（ｉ）フェルールアセンブリの後端によって加えられた力及び（ｉｉ）フェルールアセンブリの平行移動のいずれかを検出する時、フェルールアセンブリの後端は、ハウジング装置の外側にあってもよい。
【００７２】
いくつかの構成では、アダプタは、ベースプレート及びベースプレートから延在するポストを備えていてもよい。センサが（ｉ）フェルールアセンブリの後端によって加えられた力又は（ｉｉ）フェルールアセンブリの平行移動のいずれかを検出する時、該センサは、ポストと当接していてもよい。
【００７３】
いくつかの構成では、センサは、力センサであってもよい。いくつかの構成では、センサは、変位センサであってもよい。
【００７４】
いくつかの構成では、所定の力がハウジング装置によって加えられた力を示す表示は、第２の力がフェルールの対合端に加えられたことを示すようになっていてもよい。
【００７５】
いくつかの構成では、フェルールアセンブリは、フェルールの後端から延在する延長装置を更に備えていてもよい。いくつかのこのような構成では、延長装置の後端は、フェルールアセンブルの後端を画定していてもよい。
【００７６】
いくつかの構成では、センサは、延長装置の後端に取り付けられていてもよい。
【００７７】
いくつかの構成では、延長装置は、フェルール及び延長装置のいずれかを破損させない限りハウジングから分離することができないようになっていてもよい。
【００７８】
いくつかの構成では、延長装置は、フェルール上又はフェルール内にねじ込まれていてもよい。
【００７９】
いくつかの構成では、延長装置は、内側延長体及び内側延長体に取り付けられた外側延長体を備えていてもよい。いくつかのこのような構成では、内側延長体は、フェルールの後端に直接取り付けられ、外側延長体は、内側延長体から半径方向に延在していてもよい。センサの検出対象となる力は、外側延長体の後端に加えられるようになっていてもよい。
【００８０】
いくつかの構成では、内側及び外側延長体は、チューブの形態にあってもよい。いくつかのこのような構成では、外側延長体は、内側延長体を周方向に包囲して内側延長体に取り付けられていてもよい。いくつかのこのような構成では、外側延長体は、内側延長体上にねじ込まれていてもよい。
【００８１】
いくつかの構成では、センサは、ハウジングの孔内に延在するプローブを備えていてもよい。いくつかのこのような構成では、プローブは、フェルールアセンブリと真っ直ぐに並んでいてもよい。センサが（ｉ）フェルールアセンブリの後端によって加えられた力及び（ｉｉ）フェルールアセンブリの平行移動のいずれかを検出する時、フェルールアセンブリは、プローブに接触していてもよい。
【００８２】
本発明の主題及び本発明の種々の利点は、以下の添付の図面に基づく以下の詳細な説明を参照することによって、より完全に理解されるだろう。
【図面の簡単な説明】
【００８３】
【図１】本技術による光アセンブリの雄コネクタと雌コネクタアセンブリとの組立前の該光アセンブリの切断斜視図である。
【図２】図１の光アセンブリの雄コネクタと雌コネクタアセンブリとの組立後の該光アセンブリの切断斜視図である。
【図３】本技術による光アセンブリの雄コネクタと雌コネクタアセンブリとの組立前の該光アセンブリの斜視図である。
【図４】図３の光アセンブリの雄コネクタと雌コネクタアセンブリとの組立後の該光アセンブリの斜視図である。
【図５】図３に示される雌コネクタアセンブリの部分分解図である。
【図６】図３に示される雌コネクタアセンブリの斜視図である。
【図７】本技術による光アセンブリの斜視図である。
【図８】本技術による光アセンブリの一部の分解図である。
【図９】本技術による光アセンブリの一部の斜視図である。
【図１０Ａ】本技術による光アセンブリの側断面図である。
【図１０Ｂ】本技術による光アセンブリの側断面図である。
【図１１】本技術による光アセンブリの側断面図である。
【図１２Ａ】本技術による光アセンブリに用いられるコネクタアセンブリの側断面図である。
【図１２Ｂ】本技術による光アセンブリに用いられるコネクタアセンブリの側断面図である。
【図１２Ｃ】本技術による光アセンブリに用いられるコネクタアセンブリの側断面図である。
【図１３】本技術による光アセンブリに用いられるコネクタアセンブリの側断面図である。
【図１４】本技術による光アセンブリに用いられるコネクタアセンブリの側断面図である。
【図１５】本技術による脱接続状態及び接続状態における光アセンブリの側断面図である。
【図１６】本技術による脱接続状態及び接続状態における光アセンブリの側断面図である。
【図１７】本技術による光アセンブリに用いられるコネクタアセンブリの側断面図である。
【図１８】本技術による光アセンブリに用いられる脱接続状態及び接続状態にあるコネクタアセンブリの側断面である。
【図１９】本技術による脱接続状態及び接続状態にある光アセンブリの側断面図である。
【図２０】本技術による脱接続状態及び接続状態にある光アセンブリの側断面図である。
【図２１】本技術による脱接続状態にある光アセンブリの側断面図である。
【図２１Ａ．２１Ｂ】図２１の線２１Ａ−２１Ａ及び２１Ｂ−２１Ｂに沿った図２１に示される光アセンブリの後方断面図である。
【図２２】本技術による脱接続状態にある光アセンブリの側断面図である。
【図２２Ａ】図２２の線２２Ａ−２２Ａに沿った図２２に示される光アセンブリの後方断面図である。
【図２３】本技術による接続状態にある光アセンブリの側断面図である。
【図２４】本技術による接続状態にある光アセンブリの側断面図である。
【図２５Ａ．２５Ｂ】それぞれ、本技術による脱接続状態及び接続状態にある光アセンブリの側断面である。
【図２６Ａ．２６Ｂ】それぞれ、本技術による脱接続状態及び接続状態にある光アセンブリの側断面図である。
【図２７】本技術による脱接続状態にある光アセンブリの側断面図である。
【図２８】本技術による光アセンブリの部分側断面図である。
【図２９】本技術による光アセンブリの部分側断面図である。
【図３０】本技術による光アセンブリの部分側断面図である。
【図３１】本技術による光アセンブリの部分側断面図である。
【図３２】本技術が適応されるコネクタアセンブリを有するネットワーク構成要素の斜視図である。
【発明を実施するための形態】
【００８４】
図１及び図２を参照すると、光アセンブリ１００は、１つの光ファイバから他の光ファイバへの光信号の伝搬を容易にするための例示的なエネルギー信号伝搬アセンブリとして示されている。光アセンブリ１００は、光ファイバを整列するためのコネクタ、例えば、「ＬＣコネクタ」として示される雌コネクタアセンブリ１１０及び雄コネクタ１４０を備えている。雌コネクタアセンブリ１１０は、第１のレセプタクル１１２と、第１のレセプタクル１１２と壁を共有する反対側の第２のレセプタクル１１４とを備えている。第１のレセプタクル１１２は、（図示されない）光ファイバ構成部品を受け入れるようになっており、第２のレセプタクル１１４は、雄コネクタ１４０の対合端部１４１を受け入れるようになっている。雌コネクタアセンブリ１１０は、複数の光ファイバ構成部品及び雄コネクタ１４０を受け入れるために、例示されるように、複数組の第１及び第２のレセプタクル１１２，１１４を備えていてもよい。
【００８５】
雌コネクタアセンブリ１１０は、スイッチ１３０を更に備えている。スイッチ１３０は、図示されるように、第２のレセプタクル１１４内の表面上に取り付けられている。スイッチ１３０は、モジュールベース１３２及びトリガー１３４を有するトグル式スイッチとして示されている。しかし、他のスイッチ、例えば、制限されないが、プッシュボタンスイッチ、磁気駆動スイッチ、又は他の機械接触スイッチがトグル式スイッチに代わって用いられてもよい。
【００８６】
雌コネクタアセンブリ１１０は、孔１１８を画定する雌突起１１６を備えている。孔１１８は、雌コネクタアセンブリ１１０の第２のレセプタクル１１４が雄コネクタ１４０の対向端１４１を受け入れた時、該対合端部１４１から延在する雄突起１４２を受け入れるためのものである。図２に最もよく示されるように、雄突起１４２が雌突起１１６内に受け入れられると、雌突起は、雄コネクタ１４０の凹部１４４内に受け入れられる。雄突起１４２及び雌突起１１６の相互接続によって、雄コネクタ１４０の雄突起１４２の孔１４５内に延在する光ファイバ１８０が、雌コネクタアセンブリ１１０内において、前述したように第１のレセプタクル１１２内に受け入れられた光ファイバ構成部品内の光ファイバの端と真っ直ぐに並ぶように配置される。図示の例では、雌コネクタアセンブリ１１０は、光ファイバ構成部品の対合端部から延在する雄突起を受け入れるための孔を画定する第２の雌突起１１９を備えており、光ファイバ構成部品の光ファイバが該雄突起を貫通し、前述の光ファイバ１８０と整列することになる。
【００８７】
雄コネクタ１４０は、対合端部１４１から延在する下側クリップ１４６と、雄コネクタ１４０の前端部１４９から延在する上側クリップ１４８とを備えている。上側クリップ１４８は、雄コネクタの残りから離れる方向における下側クリップ１４６の移動を制限するように、及び下側クリップの望ましくない曲げを保護するための障壁をもたらすように機能する。下側クリップ１４６は、後面１５０を備えており、これによって、雄コネクタ１４０が雌コネクタ１１０の第２のレセプタクル１１４内に受けいられると、該後面１５０がスイッチ１３０のトリガー１３４と接触し、該トリガーを後方に移動させる。図示されるように、スイッチ１３０は、第２のレセプタクル１１４内に配置されており、雄コネクタ１４０が所定の挿入距離に達すると、トリガー１３４が常開接点を閉じる位置又は代替的に常閉接点を開く位置に移動する。このようにして、スイッチ１３０は、遠隔電子素子、例えば、光パネル（図示せず）に伝搬される信号、例えば、制限されないが、電気信号を生成し又は電子素子に連結された信号受信機に転送する信号を生成且つ送信し、又は代替的に、雄コネクタ１４０が雌コネクタ１１０内に適切に受け入れられたことを示す表示をもたらすためにスイッチが開いた時、信号、例えば、制限されないが、電気信号の生成又は送信を停止する。いくつかの構成では、このようなスイッチは、スイッチを閉じた時に変化する可変電気特性、例えば、抵抗、キャパシタンス、又はインダクタンスを有しているとよい、このような構成において、スイッチの抵抗、キャパシタンス、又はインダクタスの変化は、遠隔受信機によって識別されるとよい。遠隔受信機は、例えば、ワイヤ又は同様の信号伝搬手段によってスイッチから伝搬された（変化した電気特性に対応する）電気信号を受信するものである。
【００８８】
いくつかの他の構成では、、スイッチ１３０は、第２のレセプタクル１１４の一部分内に延在するワイヤに接触していてもよい。他の構成では、スイッチ１３０は、該スイッチに隣接する導体端子（図示せず）に接触していてもよい。さらに他の構成では、スイッチ１３０は、当業者に周知の他の構成、例えば、制限されないが、図３〜図６の実施形態の代替的構成に示されるような柔軟リボンケーブル又は柔軟回路基板に電気的に接続されていてもよい。
【００８９】
図３〜図６を参照すると、光アセンブリ２００は、雌コネクタアセンブリ２１０及び雄コネクタアセンブリ１４０を備えている。雌コネクタアセンブリ２１０は、以下に述べるいくつかの重要な特徴を除けば、雌コネクタアセンブリ１１０と実質的に同様である。雌コネクタアセンブリ１１０は、センサ２３０を備えている。センサ２３０は、スイッチ１３０に代わって又は加えて配置される電気−光センサであるとよい。図５に最もよく示されるように、このような電気−光センサは、図５において矢印２０５，２０６によって示されるように光を送受信し、信号、例えば、制限されないが、電気信号を生成する位置センサであるとよい。位置センサの例として、例えば、制限されないが、電気信号を生成する位置センサであるとよい。このような位置センサは、OSRAM SFH 7741近接センサ、周囲光センサ付きSHAP GP2AP030A00F近接センサ、SHARP GP2AP002S00F近接センサ、周囲光センサ付きGP2AP002A00F近接センサ、及び（赤外エミッター、Ｉ２Ｃインターフェイス、及び割込機能付き）近接センサ／周囲光センサ完全統合型VISHAY VCNL4040のいずれかであるとよい。このような信号は、光パネル（図示せず）のような遠隔電子素子又は電子素子に連結された信号受信機に転送するための信号を生成且つ送信する位置センサに伝搬されてもよいし、又は代替的に対象物がセンサによって送信される光を妨げた時に信号、例えば、制限されないが、電気信号の生成又は送信を停止するとよい。いくつかの構成では、このような位置センサは、例えば、光がセンサによって受信された時又はセンサによって受信される光が停止した時に変化する可変電気特性、例えば、抵抗、キャパシタンス、又はインダクタンスを有しているとよい。このような構成では、センサの抵抗、キャパシタンス、又はインダクタンスの変化は、遠隔受信機によって識別されるとよい。遠隔受信機は、例えば、ワイヤ又は同様の信号伝搬手段によって位置センサから伝搬された（変化した電気特性に対応する）電気信号を受信するものである。
【００９０】
図示の例では、センサ２３０は、雌コネクタアセンブリ２１０の外面に取り付けられている。この構成では、雌コネクタアセンブリ２１０は、第２のレセプタクル２１４の側壁を貫通する１対の孔２２１，２２２を有している。更に図５を参照すると、センサ２３０によって送信される光が孔２２１を貫通し、センサ２３０によって受信される光が孔２２２を貫通するようになっている。
【００９１】
図６に示されるように、ケーブル２２５が、センサ２３０に電気的に接続され、センサ２３０から延在している。ケーブル２２５は、制限されないが、柔軟リボンケーブル又は図示されるような柔軟回路基板であるとよい。このようにして、ケーブル２２５は、センサ２３０を活性化させる電力を供給し、これによって、センサは、光を送信し、受信した光を検出し、対象物がセンサによって送達される光を妨げた時に信号を生成し、且つ送信することになる。
【００９２】
図３及び図４を参照すると、雄コネクタ１４０の対合端部１４１は、後縁１４７を備えている。この後縁１４７が雌コネクタアセンブリ２１０の第２のレセプタクル２１４内の（雌コネクタアセンブリ２１０の孔２２２と真っ直ぐに並ぶ）深さまで受け入れられた時、該後縁は、センサ２３０によって送信される光を妨げることになる。このようにして、センサ２３０は、雌コネクタアセンブリ２１０の第２のレセプタクル１４内における雄コネクタ１４０の存在を検出する。雄コネクタ１４０が検出されると、センサ２３０は、前述した光アセンブリ１００のスイッチ１３０と同じように、ケーブルに沿って伝搬される信号、例えば、制限されないが、光パネル（図示せず）のような遠隔電子素子に伝搬される電気信号を生成し又は遠隔信号受信機に転送される信号を生成し且つ送信し、又は代替的に、信号、例えば、制限されないが、電気信号の生成又は送信を停止する。
【００９３】
図７を参照すると、光アセンブル３００は、雌コネクタアセンブリ３１０及び雄コネクタ１４０を備えている。雌コネクタアセンブリ３１０は、雌コネクタアセンブリのセンサ２３０が雌コネクタアセンブリ３１０の外面上に配置されていることを除けば、雌コネクタアセンブリ２１０と実質的に同様である。センサ２３０は、雌コネクタアセンブリ３１０の第２のレセプタクル３１４の側壁を貫通する孔と真っ直ぐに並んでいる。このような構成では、第２のレセプタクル３１４の側壁を貫通する孔を通して光を検出するセンサ２３０は、下側クリップ１４６が（雄コネクタ１４０が雌コネクタアセンブリ３１０内に完全に挿入された）静止位置にある時、下側クリップ１４６と真っ直ぐに並ぶように配置されているとよい。従って、下側クリップ１４６が静止位置にある時、センサ２３０によって送られる光の中断がセンサ２３０によって検出される。その結果、センサ２３０は、信号が光アセンブリ２００によって生成されるか又は光アセンブリ２００によって生成される光を停止するのと同じように、ケーブル２２４に沿って伝搬される信号を生成し、又はケーブル２２５に沿って伝搬される光の生成を停止する。下側クリップ１４６が、（雄コネクタ１４０が完全に挿入された）静止位置にあるので、センサ２３０は、雄コネクタ１４０の存在を検出すると共に、雄コネクタ１４０が雌コネクタアセンブリ３１０内に完全に挿入されたことを検出することができる。
【００９４】
図８を参照すると、光アセンブリは、雌コネクタアセンブリ４１０及び雄コネクタ、例えば、雄コネクタ１４０を備えている。雌コネクタアセンブリ４１０は、センサ２３０が構造物４６０（例えば、制限されないが、フレーム）に固定される点を除けば、雌コネクタアセンブリ２１０と実質的に同様である。構造物４６０は、雌コネクタアセンブリ４１０から分離可能になっている。図示されるように、ケーブル２２５は、該ケーブルの剛性を高めるために、制限されないが、接着剤によって構造物４６０に固定されているとよい。
【００９５】
構造物４６０は、センサ２３０が雌コネクタアセンブリ４１０の第２のレセプタクル２１４の側壁を貫通する孔２２２と真っ直ぐに並ぶように、雌コネクタアセンブリ４１０に対して配置され、又は雌コネクタアセンブリ４１０に連結されているとよい。これによって、雄コネクタ１４０の後縁１４７が雌コネクタアセンブリ４１０の第２のレセプタクル２１４内の（雌コネクタ２１０の孔２２２と真っ直ぐに並ぶ）深さの位置まで受け入れられると、該後縁がセンサ２３０によって送られる光を妨げることになる。このようにして、センサ２３０は、雌コネクタアセンブリ４１０の第２のレセプタクル２１４内の雄コネクタ１４０の存在を検出することが可能になる。雄コネクタ１４０の存在が検出されると、センサ２３０は、ケーブル２２５に沿って伝搬される信号、例えば、制限されないが、光パネル（図示せず）のような遠隔電子素子に伝搬される電気信号を生成し、又は遠隔信号受信機に転送される信号を生成且つ送信し、又は代替的に信号、例えば、制限されないが、電気信号の生成及び伝達を停止することになる。
【００９６】
光アセンブリ２００，４００の（図示されない）代替的構成では、センサ２３０及び該センサによって送受信される光と真っ直ぐに並んで配置される対応する孔は、雌コネクタアセンブリの第２のレセプタクルの外面に配置されていてもよい。この場合、雄コネクタ１４０の後縁１４７は、雄コネクタ１４０が雌コネクタの第２のレセプタクル内に完全に挿入された時に後縁と真っ直ぐに並ぶ第１の孔と真っ直ぐに並ぶことになる。従って、雄コネクタ１４０が雌コネクタの第２のレセプタクル内に完全に挿入された時にセンサ２３０によって送られる光の中断がセンサ２３０によって検出される。その結果、信号が光アセンブリ２００によって生成されるか又は光アセンブリ２００によって生成される光が停止されるのと同じように、センサ２３０は、ケーブル２２５に沿って伝搬される信号を生成し、又はケーブル２２５に沿って伝搬される信号の生成を停止することになる。このような構成では、センサ２３０は、雄コネクタ１４０の存在を検出するのみならず、雄コネクタ１４０が雌コネクタアセンブリ内に完全に挿入したことも検出することになる。
【００９７】
図９を参照すると、カバー５７０が、センサ、例えば、センサ２３０を覆って配置され、雌コネクタアセンブリ、例えば、雌コネクタアセンブリ２１０又は本明細書に開示される他の雌コネクタアセンブリに取り付けられ、これによって、センサとケーブル２２５との間の接続部を覆っている。このように、カバー５７０は、汚染物がセンサとケーブル２２５との間の回路を損なうのを防ぎ、又はセンサとケーブル２２５との間の信号伝送を妨げるのを防ぐことができる、
【００９８】
図１０Ａ及び図１０Ｂを参照すると、光アセンブリ６００は、互いの当接によって係合可能な第１のコネクタアセンブリ６１０及び第２のコネクタアセンブリ６４０と、アダプタ６５０とを備えている。第１及び第２のコネクタアセンブリは、アダプタ６５０内に挿入され、互いに対して適切に位置整合されている。第１及び第２のコネクタアセンブリ６１０，６４０の各々は、ハウジング６１１と、ファイバ／フェルールアセンブリ６１６と、弾性要素６２１、例えば、制限されないが、コイルバネと、弾性要素ストッパ６２３とを備えている。図示の例では、第１及び第２のコネクタアセンブリ６１０，６４０の各々は、任意選択的にバッファチューブ／ヤーンアセンブリ６２７と、バッファチューブ／ヤーンアセンブリ及び弾性要素ストッパ６２３の後端を圧着する圧着リング６２８と、弾性ストッパ６２３、バッファチューブ／ヤーンアセンブリ６２７、及び圧着リング６２８の後端のいずれか又は全てを覆うブーツ６２９とを備えている。
【００９９】
図示されるように、ハウジング６１１は、その直径を横切る仕切り６１２を備え、ファイバ／フェルールアセンブリ６１６の外側フェルール部分６１７Ｂが該仕切り６１２を貫通している。このように、仕切り６１２は、外側フェルール部分６１７Ｂの中心部分を保持し、これによって、ハウジングによって画定される中心軸に沿った外側フェルール部分、従って、ファイバ／フェルールアセンブリ６１６のファイバ１の位置整合を助長することになる。
【０１００】
内側フェルール部分６１７Ａは、ハウジング６１１の仕切り６１２の内側において、ハウジング６１１のハウジング孔６１３を貫通している。内側フェルール部分６１７Ａの前方区分は、ハウジング孔の内径と同一又は実質的に同一の外径を有し、ハウジング孔に対して摺動係合、この例では、摺動接触し、半径方向位置及び軸方向位置においてハウジングに固定されている。
【０１０１】
外側フェルール部分６１７Ｂの後端が、内側フェルール部分６１７Ａの前方区域に延在している。外側フェルール部分６１７Ｂは、制限されないが、セラミック、ガラス、及び剛性プラスチックのいずれかによって作製されているとよい。従って、内側フェルール部分６１７Ａは、外側フェルール部分６１７Ｂの中心部分を保持し、これによって、内側フェルール部分は、ハウジング６１１の仕切り６１２と連携し、ハウジングによって画定される中心軸に沿った外側フェルール部分、従って、ファイバ／フェルールアセンブリ６１６のファイバ１の位置整合を助長することになる。
【０１０２】
弾性要素ストッパ６２３が、ハウジング６１１を貫通している。弾性要素ストッパ６２３は、その長軸から半径方向に延在する前方フランジ６２４を有している。図示されるように、前方フランジ６２４は、面取りされている。具体的には、弾性要素ストッパ６２３の前方フランジの前端は、前方フランジの後端よりもも小さい直径を有している。ハウジング６１１に対する弾性要素ストッパ６２３の組付け時に、前方フランジ６２４は、ハウジング６１１の開口６１５を通される。更に図示されるように、弾性要素ストッパ６２３は、ハウジング６１１のハウジング孔６１３の内径と同一又は実質的に同一の外径を有している。従って、弾性要素ストッパ６２３は、ハウジングの後端を通ってハウジング孔６１３に挿入され且つハウジング孔６１３と接触した状態で保持され、これによって、半径方向位置及び軸方向位置においてハウジング６１１に固定されることになる。
【０１０３】
弾性要素ストッパ６２３は、内側フェルール部分６１７Ａの後方区域を受けるストッパ孔６２５を備えている。内側フェルール部分６１７Ａの後方区域は、ストッパ孔６２５の内径と同一又は実質的に同一の外径を有している。従って、内側フェルールは、ストッパ孔に摺動係合し、この例では、摺動接触し、半径方向位置及び軸方向位置において弾性要素ストッパ６２３に対して固定されている。
【０１０４】
更に図１０Ａ及び図１０Ｂを参照すると、弾性要素６２１は、ファイバ／フェルールアセンブリ６１６の内側フェルール部分６１７Ａの前方区域と弾性要素ストッパ６２３の前方フランジ６２４の前端との間で圧縮される。従って、第１及び第２のコネクタアセンブリ６１０，６４０が組み立てられる時、弾性要素６２１の両端は、それぞれ、内側フェルール部分６１７Ａの前方区域及び弾性要素ストッパ６２３の前方フランジ６２４の前端に対して保持される。従って、図示されるように、どのような外部力、すなわち、重力も第１及び第２のコネクタアセンブリ６１０，６４０のいずれにも作用しない時、内側フェルール部分６１７Ａの前端は、仕切り６１２に当接することになる。
【０１０５】
第１及び第２のコネクタアセンブリ６１０，６４０は、好ましくは、以下のように、すなわち、これらのアセンブリが互いに当接した時、ファイバ／フェルールアセンブリ６１６を貫通する互いに対向する光ファイバ１のそれぞれの前端の中心が第１及び第２のコネクタアセンブリ６１０，６４０のファイバ／フェルールアセンブリ６１６によって画定される中心軸と軸方向において真っ直ぐにに並ぶように、寸法決めされるとよい。なお、対向する光ファイバ１のそれぞれの前端の中心は、図１０Ｂに示されるように、可能な限り互いに物理的に接近して配置されることになる。
【０１０６】
第１のコネクタアセンブリ６１０、いくつかの構成では、第２のコネクタアセンブリ又は第１及び第２のコネクタアセンブリ６１０，６４０の両方が、センサ６３０を備えている。センサ６３０は、第１のコネクタアセンブリのハウジング６１１のハウジング孔６１３内に配置されている。図示の例では、センサ６３０は、例えば、制限されないが、当業界において周知の１つ又は複数の固定具又は化学的接着剤によって、ストッパ孔６２５に固着されている。センサ６３０は、静止位置においてセンサのセンサモジュール６３３から前方方向に延びるプローブ６３１を備えている。プローブ６３１は、後退可能であり、静止位置から後退位置に後退するようになっている。後退位置では、プローブが静止位置にある時にセンサモジュール内に受け入れられていないプローブの少なくとも一部がセンサモジュール内に受け入れられることになる。このような構成では、センサ６３０は、
変位センサでもよいし、又は力センサ、例えば、圧力センサであってもよい。
【０１０７】
センサ６３０が、例えば、当業者に周知の変位センサである場合、センサモジュール６３３内のリニアエンコーダが、モジュール内のプローブ６３１の移動を検出するようになっているとよい。他の構成では、センサ６３０が変位センサである場合、プローブ６３１が、その一部がセンサモジュール６３３に対して内外に移動した時にプローブ内を流れる電流に可変抵抗をもたらす材料から作製されていてもよい。このような抵抗の変化は、電気信号がワイヤ又は同様の信号伝搬手段を通って伝搬される時に変化する抵抗に対応する電気信号を受信する電子素子によって測定されるとよい。更に他の構成では、センサ６３０が変位センサの場合、プローブ６３１は、その一部がセンサモジュール６３３の内外に移動した時に静電容量が変動するような誘電材料から作製されていてもよい。このような静電容量の変化は、電気信号がワイヤ又は同様の信号伝搬手段に通って伝搬される時に変化する静電容量に対応する電気信号を受信する電子素子によって測定されるとよい。
【０１０８】
いくつかの構成では、センサ６３０が力センサである場合、プローブ６３１は、感圧面に当接するようになっているとよい。感圧面の例として、例えば、制限されないが、ダイヤフラムが挙げられる。いくつかの構成では、センサ６３０が力センサである場合、該センサは、プローブ６３１を備えず、代わって、ファイバ／フェルールアセンブリ６１６の内側フェルール部分６１７が延長部（図示せず）を備え、この延長部が、感圧面、例えば、制限されないが、ダイヤフラムと当接するようになっていてもよい。いくつかの構成では、センサ６３０が前述したような力センサである場合、感圧面は、場合に応じて、偏向ダイヤフラムであってもよいし、プローブ６３１に当接する他の片持レバーであってもよいし、又はファイバ／フェルールアセンブリ６１６の内側フェルール部分６１７Ａの延長部であってもよい。
【０１０９】
更に他の構成では、センサ６３０は、前述したような感圧センサ又は変位センサでなくてもよい。代わって、微小歪ゲージが、センサセンサモジュール６３３内において弾性要素に固着されていてもよい。この弾性要素は、制限されないが、１つ又は複数の固定具又は化学的接着剤によって、プローブ６３１に固定されるとよい。このような構成では、歪ゲージが、例えば、軸方向、すなわち、プローブ６３１の長軸と平行の方向において弾性要素の表面の変形を検出するようになっている。
【０１１０】
図示されるように、センサ６３０は、ハウジング６１０のハウジング孔６１１内、この例では、弾性要素ストッパ６２３のストッパ孔６２５内に配置され、後退可能なプローブ６３１の前端が内側フェルール部分６１７Ａの後端と接触している。これによって、第１のコネクタアセンブリ６１０が第２のコネクタアセンブリ６４０に係合していない時（この例では、当接していない時）、センサ６３０のプローブ６３１は、静止位置においてセンサモジュール６３３から延びている。次いで、第１及び第２のコネクタアセンブリ６１０，６４０の係合中に、第２のコネクタアセンブリ６４０の外側フェルール部分６１７Ｂの前端によって後方向の力が第１のコネクタアセンブリ６１０の外側フェルール部分６１７Ｂの前端に加えられると、プローブ６３１がセンサ６３０のセンサモジュール６３３に向かって後退することになる。
【０１１１】
図１０Ａに示されるように、第１のコネクタアセンブリ６１０が、第２のコネクタアセンブリ６４０と係合することなく、この例では、当接することなく、光アセンブリ６００のアダプタ６５０内に十分に挿入された時、従って、ファイバ／フェルールアセンブリ６１６が静止位置にある時、外側フェルール部分６１７Ｂは、アダプタを均等に２分割する面６９９を超えて延びている。図１０Ｂに示されるように、第１のコネクタアセンブリ６１０の挿入に続いて、第２のコネクタアセンブリ６４０が光アセンブリ６００のアダプタ６５０内に十分に挿入されると、第１及び第２のコネクタアセンブリ６１０，６４０のそれぞれの外側フェルール部分６１７Ｂの前端が互いに押圧し、これによって、対向するファイバ／フェルールアセンブリ６１６が互いに接触するが、この場合、これらの接触面は、後方向に移動する傾向にある。このようにして、第１のコネクタアセンブリ６１０のファイバ／フェルールアセンブリ６１６の後端、すなわち、内側フェルール部分６１７Ａの後端がセンサ６３０の後退可能なプローブ６３１を圧縮する。後退可能なプローブ６３１が所定の許容範囲内において圧縮されると、センサ６３０は、遠隔電子素子、例えば、光パネル（図示せず）に伝搬される信号、例えば、制限されないが、電気信号を生成し、又は電子素子に連結された信号受信機に転送するための信号を生成及び送信し、又は代替的に、第２のコネクタアセンブリ６４０がアダプタ６５０内の所定深さに挿入されたことを示す信号、例えば、制限されないが、電気信号の生成又は伝搬を停止する。いくつかの構成では、このような変位センサ又は力センサは、コネクタアセンブリによって与えられる移動又は力が生じるか又はそのような移動又は力が停止した時に変化する可変電気特性、例えば、可変抵抗、可変キャパシタンス、又は可変インダクタンスを有しているとよい。いくつかの構成では、センサ内の抵抗、キャパシタンス、又はインダクタンスの変化は、遠隔受信機によって識別されるとよい。遠隔受信機は、ワイヤ又は同様の信号伝導手段を通して変位センサ又は力センサから伝搬される（変化した電気特性に対応する）電気信号を受信するものである。
【０１１２】
同じように、第２のコネクタアセンブリ６４０がアダプタ６５０内に挿入されていない時にセンサ６３０のプローブ６３１が後退される結果として、又は第２のコネクタアセンブリがアダプタ６５０に挿入される時にセンサ６３０のプローブ６３１が過剰に後退される結果としての所定の許容範囲内の信号の生成又はそのような信号の生成又は送信の停止も、光ファイバ１がいつ後方に、すなわち、アダプタ６５０から離れる方向に引っ張られたかを検出するために用いられてもよい。このような引張現象は、例えば、制限されないが、人が第１のコネクタアセンブリ６１０を引っ張ることによって、又は環境因子（温度、湿度、等）によってケーブルバッファチューブ／ヤーンアセンブリ６２７があらゆる方向に拡張することによって、生じる可能性がある。図１０Ａ及び図１０Ｂの例に示されるように、ケーブル６３５は、センサ６３０から弾性要素ストッパ５２３の後端及びケーブルバッファチューブ／ヤーンアセンブリ６２７を通って外に延在している。
【０１１３】
図１１に示されるように、光アセンブリ６００の代替的構成では、光アセンブリ７００は、センサ６３０からインジケータ６９０に延在する任意の信号伝搬ケーブル６３５Ａ、例えば、電気ケーブル又は光ケーブルを備えている。図示の例では、インジケータ６９０は、アダプタ６５０の外面に取り付けられた発光ダイオード（ＬＥＤ）ディスプレイから構成されている。これによって、インジケータ６９０は、第２のコネクタアセンブリ６４０が所定深さまで挿入された時に点灯することになる。更に示されるように、インジケータ６９０は、当業者に周知の外部回路に、例えば、制限されないが、ワイヤによって電気的に接続されるか又は無線通信されてもよい。他の代替的構成では、センサ６３０は、インジケータ６９０に同様に無線通信されてもよい。
【０１１４】
図１２Ａ及び図１２Ｂを参照すると、光アセンブリ８００は、センサ６３０に加えて又はこの例ではセンサ６３０に代わってセンサ８３０を有する第１のコネクタアセンブリ８１０を備えるという重要な点を除けば、光アセンブリ６００と実質的に同様である。センサ８３０は、弾性要素６２１上に配置されている。センサ８３０は、微小歪ゲージであるととよい。微小歪ゲージは、弾性要素６２１の表面の２点間の距離の変化を検出するために、弾性要素６２１の表面に沿って配置されるとよい。この構成では、歪ゲージは、歪ゲージが位置する弾性要素の表面が拡張又は収縮する時に抵抗が変化する可変抵抗要素であるとよい。
【０１１５】
このようにして、ハウジング６１１内の内側フェルール部分６１７Ａの後方移動、すなわち、後退時に、センサ８３０は、弾性要素６２１の表面の圧縮、従って、移動を検出する。センサ８３０が弾性要素６２１の表面の２点間の所定の許容範囲内の距離の変化を検出しない時、センサ８３０は、遠隔電子素子、例えば、光パネル（［図示せず］に伝搬される信号、例えば、制限されないが、電気信号を生成し、又は電子素子に連結された遠隔信号受信機に転送するための信号を生成且つ送信し、又は代替的に第２のコネクタアセンブリ６４０がアダプタ６５０の所定の深さに挿入されたことを示す信号、例えば、制限されないが、電気信号の生成又は送信を停止する。
【０１１６】
歪ゲージを利用する構成では、歪ゲージセンサは、弾性要素の表面の変化が生じた時又は生じている変化が停止した時に変化する可変電気特性、例えば、可変抵抗、可変キャパシタンス、又は可変インダクタンスを有しているとよい。このような構成では、センサ内の抵抗、キャパシタンス、又はインダクタンスの変化は、遠隔受信機によって識別されるとよい。遠隔受信機は、例えば、ワイヤ又は同様の信号伝搬手段によって歪ゲージセンサから伝搬された（変化した電気特性に対応する）電気信号を受信するものである。他の代替的構成では、センサ８３０は、弾性要素６２１上又はその近傍に配置された圧電材料（図示せず）であってもよい。圧電素子は、微小歪ゲージに関して前述したような信号を送信することによって、弾性要素６２１に移動に対して作用するものである。
【０１１７】
図１２Ａ及び図１２Ｂに示される構成の他の代替的構成では、図１２Ｃに示されるように、光アセンブリ８００Ａ及びその第１のコネクタアセンブリ８１０Ａは、それぞれ、以下の点を除けば、光アセンブリ８００及び第１のコネクタアセンブリ８１０と同じである。すなわち、第１のコネクタアセンブリ８１０Ａの弾性要素６２１は、コイルバネであり、該コイルバネは、電流がコイルバネの両端に取り付けられた電気ワイヤ８３５Ａ，８３５Ｂ間のバネに流れる時に導電要素として作用する。従って、弾性要素６２１の圧縮又は拡張によって、弾性要素の長さの変化、従って、弾性要素のインダクタンスの変化が生じ、このインダクタンスの変化は、電子素子によって測定される。電子素子は、変化したインダクタンスに対応して弾性要素に生じる電流に対応する電気信号をワイヤ又は同様の信号伝搬手段を介して受信することになる。図示されるように、制限されないが、鉄又はニッケルから作製される磁気コア８３１が、第１のコネクタアセンブリ８１０Ａの内側フェルール部分６１７Ａの溝８１８の周りに延在している。これによって、弾性要素６２１及びコア８３１によって生じる磁束、従って、インダクタンスは、弾性要素によってのみ生じるインダクタンスよりも著しく大きくなる。従って、弾性要素の長さの変化が容易に検出され、第２のコネクタアセンブリ６４０がアダプタ６５０内の所定の深さに挿入されたことを示す表示がより確実なものとなる。
【０１１８】
図１２Ａ及び図１２Ｂの例に示される構成の更に他の代替的構成（図示せず）では、電極、例えば、制限されないが、導電性金属プレートが弾性要素６２１の両端に取り付けられ、コンデンサを形成するようになっている。従って、弾性要素６２１の圧縮又は拡張によって、弾性要素の長さの変化、従って、コンデンサのキャパシタンスの変化が生じ、このキャパシタンスの変化が、電子素子によって測定される。電子素子は、ワイヤ又は同様の信号伝搬手段によって伝搬される（変化したキャパシタンスに対応する）電気信号を受信するものである。
【０１１９】
図１３を参照すると、光アセンブリ９００は、以下の重要な点を除けば、光アセンブリ６００と実質的に同様である。すなわち、光アセンブリ９００は、弾性要素ストッパ６２３の代替的構成を備え、場合によっては、図示されるように、センサ６３０を備えていない。このような構成では、コネクタアセンブリ９１０は、前方ストッパ９２３を備えている。前方ストッパ９２３の後端は、後方ストッパ９２３Ａの内径と同一又は実質的に同一の外径を備えている。後方ストッパ９２３Ａから前方ストッパ９２３及びハウジング６１１は、離脱可能になっている。光アセンブリ９００は、後方ストッパ９２３Ａに取り付けられたセンサ９３０を備えている。後方ストッパ９２３Ａは、図示されるように、バッファチューブ／ヤーンアセンブリ６２７、圧着リング６２８，及びブーツ６２９のアセンブリに圧着されている。このように、コネクタアセンブリ９１０は、例えば、コネクタアセンブリが損傷し、センサ９３０及び後方ストッパ９２３Ａを再使用する時、他のコネクタアセンブリと置き換えられてもよい。
【０１２０】
図１４を参照すると、光アセンブリ１０００は、センサ９３０に加えて又は代わってセンサ１０３０を有する第１のコネクタアセンブリ１０１０を備えるという重要な点を除けば、光アセンブリ９００と実質的に同様である。図１３に示されるセンサ９３０のセンサモジュール９３３から延在するケーブル６３５に代わって、センサ１０３０は、センサモジュール１０３３から延在するケーブル６３５Ａ及びケーブル１０２５を備えている。ケーブル６３５Ａは、（遠隔電子素子、例えば、光パネル（図示せず）に伝搬される）センサ１０３０によって生成される信号、例えば、制限されないが、電気信号、又は（電子素子に連結された信号受信機に転送される）センサ１０３０によって生成及び送信される信号、例えば、電気信号を伝搬させるものである。代替的に、ケーブル６３５Ａは、第２のコネクタアセンブリ、例えば、コネクタアセンブリ６４０がアダプタ、例えば、アダプタ６５０内の所定深さに挿入されたことを示す信号、例えば、制限されないが、電気信号の伝搬を停止するものであってもよい。
【０１２１】
ケーブル１０２５は、ブーツ６２９とバッファチューブ／ヤーンアセンブリ６２７との間において、光ファイバ１と実質的に同一の経路に沿って延在するように、ブーツ６２９を貫通している。ケーブル１０２５は、その長さに沿って１つ又は複数のセンサ（図示せず）を備えている。センサは、当業者に周知の微小歪ゲージであるとよい。微小歪ゲージは、ケーブルの長さの変化、更に詳細には、殆どの場合ケーブルの曲げ又は変形によって生じるケーブルの表面の２点間の距離の変化を検出する。この構成では、センサは、可変抵抗要素であってもよい。可変抵抗要素は、センサが位置するケーブルの表面が拡張又は収縮する時に抵抗が変化するようになっている。図示の例では、センサ１０３０は、ケーブルの長さが変化した時に微小歪ゲージから伝搬される（変化した抵抗に対応する）電気信号を受信するようになっている。センサ１０３０は、ケーブル１０２５の表面の任意のこのような変化が閾値と等しいか又は該閾値を超えた時、（遠隔電子素子、例えば、光パネル（図示せず）に伝搬される）信号、例えば、制限されないが、電気信号を生成するように又は電子素子に連結された信号受信機に転送される信号を生成及び送信するように設定され、又は代替的にケーブル及び光ファイバ１の一部が曲げ半径未満の望ましくない半径に屈曲されたことをオペレータに知らせるために、信号、例えば、制限されないが、電気信号の生成又は送信を停止するように、設定されている。図１４の例では、光ファイバがその長さに沿って最小曲げ半径を有することが望まれる場合、もしセンサ１０３０による光ファイバ１の長さに沿った変化の検出によって、ケーブルの一部が最小曲げ半径未満の半径を有することが判明したなら、通常、望ましくない結果と見なされ、警告信号が生成されることになる。
【０１２２】
図１５を参照すると、光アセンブリ１１００は、センサ６３０に加えて又はこの例に示されるようにセンサ６３０に代わって、電極１１３１，１１３２を有する第１のコネクタアセンブリ１１１０を備えるという重要な点を除けば、光アセンブリ６００と実質的に同様である。電極１１３１，１１３２は、光アセンブリ１１００の第１及び第２のコネクタアセンブリ１１１０，６４０のそれぞれの外側フェルール部分６１７Ｂの係合、この例では、接触によって生じる第１のコネクタアセンブリ１１１０の外側フェルール部分６１７Ｂの変位によって、第２のコネクタアセンブリ６４０がアダプタ６５０内に挿入されたことを示すためのものである。フェルール電極１１３１は、例えば、制限されないが、１つ又は複数の固定具、吸引可能な磁気要素、又は化学的接着剤、例えば、制限されないが、エポキシによって、内側フェルール部分６１７Ａの前端に取り付けられ、ケーブル１１３５Ａ、例えば、制限されないが、銅ワイヤによって、論理回路９９に電気的に接続されている。ハウジング電極１１３２は、例えば、制限されないが、１つ又は複数の固定具、吸引可能な磁気要素、又は化学的接着剤、例えば、制限されないが、エポキシによって、ハウジング６１１の仕切り６１２の後面に取り付けられ、ケーブル１１３５Ｂ、例えば、制限されないが、銅ワイヤによって、論理回路９９に電気的に接続されている。
【０１２３】
従って、第２のコネクタアセンブリ６４０が図１５の上部におけるようにアダプタ６５０内に挿入されていない時、内側フェルール部分６１７Ａの前端は、ハウジング６１１の仕切り６１２に対して最前位置にある。これによって、フェルール電極１１３１及びハウジング電極１１３２が互いに接触し、これによって、閉回路が論理回路９９、ケーブル１１３５Ａ、フェルール電極１１３１、ハウジング電極１１３２、及びケーブル１１３５Ｂによって形成される。対照的に、第２のコネクタアセンブリ６４０が図１５の下部におけるようにアダプタ６５０内に挿入されると、内側フェルール部分６１７Ａの前端は、ハウジング６１１の仕切り６１２から離れる方に位置する。従って、フェルール電極１１３１及びハウジング電極１１３２は、互いに接触せず、これによって、論理回路９９、ケーブル１１３５Ａ、フェルール電極１１３１、ハウジング電極１１３２、及びケーブル１１３５Ｂによって形成されている常閉回路が開くことになる。このような構成では、論理回路９９は、回路が閉じている時に接続された電子又は光電子システムを電源オフとし、回路が開いた時に接続された電子又は光電子システムを電源オンとするように制御するとよい。これによって、第１のコネクタアセンブリ１１１０を通る光放出が停止され、損傷を阻止し、エネルギーを節約することが可能になる。代替的構成では、論理回路９９のような論理回路を必ずしも必要とせず、ケーブル１１３５Ａ、フェルール電極１１３１、ハウジング電極１１３２、及びケーブル１１３５Ｂが、フェルール電極１１３１とハウジング電極１１３２との間の接触に基づき開閉する他の回路の一部を形成するようになっていてもよい。
【０１２４】
図１６に示されるように、光アセンブリ１２００は、電極１１３１，１１３２に加えて又はこの例に示されるように電極１１３１，１１３２に代わって電極１２３１，１２３２を有する第１のコネクタアセンブリ１２１０を備える重要な点を除けば、光アセンブリ１１００と実質的に同様である。電極１２３１，１２３２は、光アセンブリ１２００の第１及び第２のコネクタアセンブリ１２１０、６４０のそれぞれの外側フェルール部分６１７Ｂの係合によって生じる第１のコネクタアセンブリ１２１０の外側フェルール部分６１７Ｂの変位によって、第２のコネクタアセンブリ６４０がアダプタ６５０内の所定深さに挿入されたことを示すためのものである。ストッパ電極１２３１は、例えば、制限されないが、１つ又は複数の固定具、吸引可能な磁気要素、又は化学的接着剤、例えば、制限されないが、エポキシによって、弾性ストッパ要素６２３の前向き内部段に取り付けられている。ストッパ電極１２３１は、絶縁要素１２３７と、絶縁要素の両側に取り付けられた導電性上側ベース１２３６Ａ及び導電性下側ベース１２３６Ｂと、を備えている。絶縁要素１２３７は、絶縁材料又は誘電材料、例えば、制限されないが、プラスチック材料又はゴム材料から作製されているとよい。従って、上側ベース１２３６Ａ及び下側ベース１２３６Ｂは、互いに電気的に接続されていない。上側ベース１２３６Ａは、ケーブル１２３５Ａによって論理回路９９に電気的に接続され、下側ベース１２３６Ｂは、ケーブル１２３５Ｂによって論理回路９９に電気的に接続されている。なお、これらのケーブルの各々は、例えば、制限されないが、銅ワイヤであるとよい。
【０１２５】
更に図示されるように、上側ベース１２３６Ａ及び下側ベース１２３６Ｂは、それぞれ、内側フェルール部分６１７Ａに向かう前方向に延在する上側及び下側プロング１２３７Ａ，１２３７Ｂに取り付けられている。従って、上側及び下側プロング１２３７Ａ，１２３７Ｂによって、ストッパ電極１２３１は、他の電極、図示の構成では、フェルール電極１２３２に接触する長さを有することができる。
【０１２６】
フェルール電極１２３２は、例えば、制限されないが、１つ又は複数の固定具、吸引可能な磁気要素、又は化学的接着剤、例えば、制限されないが、エポキシによって、内側フェルール部分６１７Ａの後面に取り付けられている。図示されるように、フェルール電極１２３２は、内側フェルール部分６１７Ａの後面の全周囲に接触するように、例えば、制限されないが、環形態にあるとよい。
【０１２７】
第２のコネクタアセンブリ６４０が図１６の下部におけるようにアダプタ６５０内に挿入されると、内側フェルール部分６１７Ａの後端に取り付けられたフェルール電極１２３２が、弾性ストッパ要素６２３の前向き内部段に取り付けられたストッパ電極１２３１の上側及び下側プロング１２３７Ａ，１２３７Ｂに接触する。このようにして、閉回路が、論理回路９９、ケーブル１２３５Ａ、ストッパ電極１２３１、フェルール電極１２３２、及びケーブル１２３５Ｂによって形成される。プロング１２３７Ａ，１２３７Ｂの長さに起因して、電極１２３１，１２３２を互いに電気的に接続させるために、内側フェルール部分６１７Ａを弾性ストッパ要素６２３の前向き内部段に隣接する上側及び下側ベース１２３６Ａ，１２３６Ｂに接触すさせるまで後方に移動させる必要がない。
【０１２８】
操作時に、第２のコネクタアセンブリ６４０がアダプタ６５０内に十分挿入されると、第１及び第２のコネクタアセンブリ１２１０，６４０のそれぞれの外側フェルール部分６１７Ｂが、アダプタ６５０内の（破線６９９によって示される）相対位置において互いに接触する。この接触位置は、外側フェルール部分及び内側フェルール部分６１７Ａの長さ及び相対位置並びに第１及び第２のコネクタアセンブリのそれぞれの弾性要素６２１に加えられる相対力に依存して異なる。従って、図示の例におけるように、上側及び下側プロング１２３７Ａ，１２３７Ｂが内方に撓み、内側フェルール部分６１７Ａ、従って、フェルール電極１２３２がフェルール電極１２３２とストッパ電極１２３１との間の初期の電気的連結後に更に後方に移動するようになっている。従って、第２のコネクタアセンブリ６４０の内側フェルール部分６１７Ａ、外側フェルール部分６１７Ｂ、及び弾性要素６２１は、それぞれ、種々の大きさを有していてもよく、それにも関わらず、第２のコネクタアセンブリ６４０がアダプタ６５０内に挿入される時、ストッパ電極１２３１とフェルール電極１２３２との間の電気的連結を生じさせることができる。一例では、第２のコネクタアセンブリ６４０がアダプタ６５０内に挿入された時、論理回路９９、ケーブル１２３５Ａ、ストッパ電極１２３１、フェルール電極１２３２、及びケーブル１２３５Ｂによって形成される回路は、第１のコネクタアセンブリ１２１０の内側及び外側フェルール部分６１７Ａ，６１７Ｂが０．２５ｍｍの最小距離だけ後方に移動する限り、閉鎖されているとよい。
【０１２９】
更に、上側及び下側プロング１２３７Ａ，１２３７Ｂは、バネ挙動をもたらすためにベース１２３６Ａ，１２３６Ｂに対して片持ち支持の形態にあるとよい。これによって、内側及び外側部分６１７Ａ，６１７Ｂは、０．２５ｍｍを超える距離、例えば、１．０ｍｍ以上の距離だけ後方に移動することができ、この間、論理回路９９、ケーブル１２３５Ａ、ストッパ電極１２３１、フェルール電極１２３２、及びケーブル１２３５Ｂによって形成される回路は、閉じているとよい。上側及び下側プロング１２３７Ａ，１２３７Ｂに加えて又は代わって、以下の図１７に記載される例におけるように、第２のコネクタアセンブリの内側及び外側フェルール部分の後方移動する種々の距離においてストッパ電極とフェルール電極との間の導電性連結を維持するために、コイルバネ又は板バネがフェルール電極１２３２に取り付けられてもよいし、又はフェルール電極１２３２として機能するようになっていてもよい。
【０１３０】
対照的に、第２のコネクタアセンブリ６４０が図１６の上部におけるようにアダプタ６５０内に挿入されていない時、内側フェルール部分６１７Ａの後端に取り付けられたフェルール電極１２３２は、ストッパ電極１２３１から最も遠い最前位置にある。これによって、ストッパ電極１２３１及びフェルール電極１２３２は、互いに接触せず、その結果、倫理回路９９、ケーブル１２３５Ａ、ストッパ電極１２３１、フェルール電極１２３２、及びケーブル１２３５Ｂによって形成される常閉回路は、開いている。このような構成では、論理回路９９は、回路が閉じている時に接続された電子又は光電子システムを電源オンとし、回路が開いた時に接続された電子又は光電子システムを電源オフとするように制御するとよい。これによって、第１のコネクタアセンブリ１２１０を通る光放出が停止され、損傷を阻止し、エネルギーを節約することが可能になる。代替的構成では、論理回路９９のような論理回路を必ずしも必要とせず、ケーブル１２３５Ａ、ストッパ電極１２３１、フェルール電極１２３２、及びケーブル１２３５Ｂが、ストッパ電極電極１２３１とフェルール電極１２３２との間の接触に基づき開閉する他の回路の一部を形成するようになっていてもよい。
【０１３１】
図１７を参照すると、光アセンブリ１３００は、電極１２３１，１２３２に代わって電極１３３１，１３３２を有する第１のコネクタアセンブリ１３１０を備えるという重要な点を除けば、光アセンブリ１２００と実質的に同様である。電極１３３１，１３３２は、第２のコネクタアセンブリ６４０がアダプタ６５０内の所定の深さに挿入されたことを示すためのものである。ストッパ電極１３３１は、ストッパ電極１２３１と同じように、弾性ストッパ要素６２３の前向き内部段に取り付けられている。図示されるように、ストッパ電極１３３１は、弾性ストッパ要素６２３の前向き内部段の全周囲に接触するように、例えば、制限されないが、環形態にあるとよい。
【０１３２】
ストッパ電極１３３１は、絶縁要素１３３７と、該絶縁要素の両側に取り付けられた上側ベース１３３６Ａ及び下側ベース１３３６Ｂと、を備えている。絶縁要素１３３７は、ストッパ電極１２３１の絶縁要素１２３７と同一又は実質的に同様であるとよい。従って、上側ベース１３３６Ａ及び下側ベース１３３６Ｂは、互いに電気的に接続されていないことになる。上側ベース１３３６Ａは、ケーブル１２３５Ａによって論理回路９９に電気的に接続され、下側ベース１３３６Ｂは、ケーブル１２３５Ｂによって論理回路９９に電気的に接続されている。
【０１３３】
フェルール電極１３３２は、コイルバネの形態にある。フェルール電極１３３２は、例えば、制限されないが、１つ又は複数の固定具、吸引可能な磁気要素、又は化学的接着剤、例えば、制限されないが、エポキシによって、内側フェルール部分６１７Ａの後面に取り付けられている。図示されるように、フェルール電極１３３２は、フェルール電極の前端が内側フェルール部分６１７Ａの後面の全周囲に実質的に接触するように、例えば、制限されないが、実質的に環形状であるとよい。フェルール電極１３３２の後端１３３３は、第２のコネクタアセンブリ６４０がアダプタ６５０内の所定の深さに挿入される時にストッパ電極１３３１の上側ベース１３３６Ａ及び下側ベース１３３６Ｂの両方に実質的に接触するように、実質的に平坦であるとよい。
【０１３４】
このようにして、閉回路が、前述の論理回路９９のような論理回路、ケーブル１２３５Ａ、ストッパ電極１３３１、フェルール電極１３３２、及びケーブル１２３５Ｂによって形成される。フェルール電極１３３２の圧縮性によって、該フェルール電極は、第２のコネクタアセンブリ１３１０の内側及び外側フェルール部分６１７Ａ，６１７Ｂの後方移動の種々の距離において、ストッパ電極１３３１とフェルール電極１３３２との間の導電性連結を維持することが可能になる。
【０１３５】
対照的に、第２のコネクタアセンブリ６４０がアダプタ６５０内に挿入されていない時、フェルール電極１３３２は、ストッパ電極１３３１から最も遠い最前位置にある。これによって、ストッパ電極１３３１及びフェルール電極１３３２は、互いに接触せず、その結果、論理回路、ケーブル１２３５Ａ、ストッパ電極１３３１、フェルール電極１３３２、及びケーブル１２３５Ｂによって形成される常閉回路が開くことになる。このような構成では、論理回路は、回路が閉じている時に接続された電子又は光電子システムを電源オンとし、回路が開いた時に接続された電子又は光電子システムを電源オフとするように制御するとよい。代替的構成では、論理回路を必ずしも必要とせず、ケーブル１２３５Ａ、ストッパ電極１３３１、フェルール電極１３３２、及びケーブル１２３５Ｂが、ストッパ電極１３３１とフェルール電極１３３２との間の接触に基づき開閉する他の回路の一部を形成するようになっていてもよい。
【０１３６】
図１８を参照すると、光アセンブリ１４００は、電極１３３１，１３３２に代わって電極１４３１，１４３２を有する第１のコネクタアセンブリ１４１０を備えるという重要な点を除けば、光アセンブリ１３００と実質的に同様である。電極１４３１，１４３２は、第２のコネクタアセンブリ６４０がアダプタ６５０内の所定の深さに挿入されたことを示すためのものである。加えて、光アセンブリ１４００は、内側フェルールアセンブリ６１７Ａ、弾性要素６２１、及び弾性ストッパ要素６２３に代わって、内側フェルールアセンブリ１４１７Ａ、弾性要素１４２１，及び弾性ストッパ要素１４２３を備えている。
【０１３７】
内側フェルールアセンブリ１４１７Ａは、その後端に画定された溝１４１９の周りに延在するチューブ１４１８を備えている。チューブ１４１８は、プラスチックのような絶縁材料から作製されているとよい。第１のコネクタアセンブリ６１０の弾性要素６２１と違って、弾性要素１４２１は、内側フェルールアセンブリ１４１７Ａの後端を超えて延在しているにも関わらず、弾性ストッパ要素１４２３の前端に当接している。弾性ストッパ要素１４２３は、弾性要素１４２１がストッパ孔１４２５内に延びないように、第１のコネクタアセンブリ６１０のストッパ要素６２３よりも狭いストッパ孔１４２５を有しているとよい。
【０１３８】
このようにして、ストッパ電極１４３１は、弾性ストッパ要素１４２３の前端に取り付けられている。図示されるように、ストッパ電極１４３１は、弾性ストッパ要素１４２３の前端の全周囲に接触するように、例えば、制限されないが、環形状であるとよい。
【０１３９】
ストッパ電極１４３１は、絶縁要素１４３７と、該絶縁要素の両側に取り付けられた導電性上側ベース１４３６Ａ及び導電性下側ベース１４３６Ｂを備えている。従って、上側ベース１４３６Ａ及び下側ベース１４３６Ｂは、互いに電気的に接続されていない。上側ベース１４３６Ａは、ケーブル１２３５Ａによって論理回路９９に電気的に接続され、下側ベース１４３６Ｂは、ケーブル１２３５Ｂによって論理回路９９に電気的に接続されている。
【０１４０】
フェルール電極１４３２は、コイルバネの形態にある。フェルール電極１４３２は、例えば、制限されないが、１つ又は複数の固定具、吸引可能な磁気要素、又は化学的接着剤、例えば、制限されないが、エポキシによって、溝１４１９に沿って形成された内側フェルール部分６１７Ａの後向き段に取り付けられ、内側フェルール部分の後端の周りに延在している。このようなフェルール電極１４３２は、弾性要素１４２１からフェルール電極を分離させるチューブ１４１８内に配置されている。
【０１４１】
図示されるように、フェルール電極１４３２は、フェルール電極の前端が内側フェルール部分１４１７Ａの後向き段の実質的に全周囲に接触するように、実質的に環形状であるとよい。フェルール電極１４３２の後端１４３３は、第２のコネクタアセンブリ６４０がアダプタ６５０内の所定深さに挿入された時にストッパ電極１４３１の上側ベース１４３６Ａ及び下側ベース１４３６Ｂの両方に同時に接触するように、実質的に平坦であるとよい。
【０１４２】
このようにして、閉回路が、前述の論理回路９９のような論理回路、ケーブル１２３５Ａ、ストッパ電極１４３１、フェルール電極１４３２、及びケーブル１２３５Ｂによって形成される。フェルール電極１４３２の圧縮性に起因して、フェルール電極は、第２のコネクタアセンブリ１４１０の内側及び外側部分１４１７Ａ，６１７Ｂの後方移動の種々の距離において、ストッパ電極１４３１とフェルール電極１４３２との導電性連結を維持することが可能になる。対照的に、第２のコネクタアセンブリ６４０がアダプタ６５０内に挿入されていない時、フェルール電極１４３２は、ストッパ電極１４３１から最も遠い最前位置にある。これによって、ストッパ電極１４３１及びフェルール電極１４３２は、互いに接触せず、その結果、論理回路、ケーブル１２３５Ａ、ストッパ電極１４３１、フェルール電極１４３２、及びケーブル１２３５Ｂによって形成される常閉回路が開くことになる。このような構成では、論理回路は、回路が閉じている時に接続された電子又は光電子システムを電源オンとし、回路が開いた時に接続された電子又は光電子システムを電源オフとするように制御するとよい。代替的構成では、論理回路を必ずしも必要とせず、ケーブル１２３５Ａ、ストッパ電極１４３１、フェルール電極１４３２、及びケーブル１２３５Ｂが、ストッパ電極１４３１とフェルール電極１４３２との間の接触に基づき開閉する他の回路の一部を形成するようになっていてもよい。
【０１４３】
図１９を参照すると、光アセンブリ１５００は、センサ６３０に加えて、又はこの例におけるようにセンサ６３０に代わってセンサ１５３０を有する第１のコネクタアセンブリ１５１０を備えるという重要な点を除けば、光アセンブリ６００と実質的に同様である。センサ１５３０は、光アセンブリの第１及び第２のコネクタアセンブリのそれぞれの外側フェルール部分６１７Ｂの係合によって生じる第１のコネクタアセンブリの外側フェルール部分６１７Ｂの変位によって、第２のコネクタアセンブリ６４０がアダプタ６５０内に挿入されたことを示すためのもである。センサ１５３０は、例えば、制限されないが、１つ又は複数の固定具、吸引可能な磁気要素、又は化学的接着剤、例えば、制限されないが、エポキシによって、ハウジング６１１の突起６１１Ａの後面に取り付けられ、ケーブル１５３５、例えば、制限されないが、銅ワイヤによって、論理回路９９のような論理回路に電気的に接続されている。突起６１１Ａは、例えば、図示されるような三角プリズム状の形態にあり、アダプタ６５０のノッチ６５１内に延び、該ノッチ６５１内に嵌合するようになっている。コネクタアセンブリ１５１０は、突起６１１Ａの後面がノッチ６５１の前面と接触するようにアダプタ６５０に取り付けられとよく、これによって、アダプタからのコネクタアセンブリの引出しが阻止されることになる。
【０１４４】
センサ１５３０は、例えば、制限されないが、力センサ又は変位センサであるとよいという点において、センサ６３０と同一又は実質的に同様である。力センサとして、センサ１５３０は、変形可能なダイヤフラム又は他の周知の力検知手段を備えている。センサ６３０と同様、センサ１５３０は、プローブ（図示せず）を備えている。プローブは、センサの静止位置においてセンサのセンサモジュールから延長可能である。また、プローブは、後退可能であり、具体的には、静止位置から後退位置に後退可能である。後退位置では、静止位置においてセンサモジュール内に受け入れられていないプローブの少なくとも一部がセンサモジュール内に受け入れられるようになっている。静止位置では、センサ（及びプローブを有するセンサの場合、センサのプローブ）は、アダプタ６５０のノッチ６５１の前向き面と接触するか又は離間している、他の構成では、センサ６３０と同様、微小歪ゲージがプローブを有するセンサのプローブに取り付けられた弾性要素に固着され、センサのセンサモジュール内に配置されていてもよい。歪ゲージは、プローブの延長及び後退中の弾性要素の表面の変形を検出するものである。
【０１４５】
第２のコネクタアセンブリ６４０が図１９の上部におけるようにアダプタ６５０内に挿入されていない時、光アセンブリ６００の構成におけるように、内側フェルール部分６１７の前端は、ハウジング６１１の仕切り６１２に対して最前位置にある。第２のコネクタアセンブリ６４０が、それぞれのファイバ／フェルールアセンブリ６１６が静止位置に配置されるように、光アセンブリ１５００のアダプタ６５０内に十分に挿入されると、第１及び第２のコネクタアセンブリ１５１０，６４０のそれぞれの外側フェルール部分６１７Ｂの前端が互いに押し合い、これによって、対向するファイバ／フェルールアセンブリ６１６が互いに接触した状態で互いに離れる後方向に押される。従って、第１のコネクタアセンブリ６１０のファイバ／フェルールアセンブリ６１６の後端が後方に押され、これによって、ハウジング６１１がストッパ６２３の前方フランジ６２４によって後方に押される。その結果、センサ１５３０（及びプローブを有するセンサの場合、センサのプローブ）が、アダプタ６５０のノッチ６５１の前向き面に押圧されることになる。センサ１５３０は、所定の許容範囲内の力によって押圧されると、センサ６３０の構成のいずれかと同様に作動し、第２のコネクタアセンブリ６４０がアダプタ６５０内の所定深さに挿入されるように第１のコネクタアセンブリ１５１０に対して十分な力を加えたことを示す信号をケーブル１５３５に沿って生成するか又はそのような信号の生成を停止することになる。第２のコネクタアセンブリ６４０が所定深さにない時、第１のコネクタアセンブリ１５１０を通る光放出が停止され、これによって損傷を阻止し、エネルギーを節約することが可能になる。
【０１４６】
光アセンブリ１５００の代替的構成では、センサ１５３０は、第１のコネクタアセンブリ１５１０の突起６１１Ａの後面に代わって、第２のコネクタアセンブリのハウジングの突起の後面に取り付けられてもよい。これによって、センサ１５３０は、センサ６３０の構成のいずれかと同じように作動し、第２のコネクタアセンブリがアダプタ６５０内の所定深さに挿入されるように第１のコネクタアセンブリ１５１０に対して十分な力を加えたことを示す信号をケーブル１５３５に沿って生成するか又は信号の生成を停止することになる。
【０１４７】
図２０に示されるように、光アセンブリ１６００は、センサ１５３０を有しない第１のコネクタアセンブリ１６１０及び光アセンブリのアダプタ１６００に取り付けられたセンサ１６３０を更に備えるという重要な点を除けば、光アセンブリ１５００と実質的に同様である。センサ１６３０は、光アセンブリの第１及び第２のコネクタアセンブリのそれぞれの外側フェルール部分６１７Ｂの係合によって生じる第１のコネクタアセンブリの外側フェルール部分６１７の変位によって、第２のコネクタアセンブリ６４０がアダプタ内に挿入されたことを示すためのものである。センサ１６３０は、センサ１５３０と同一又は実質的に同様である。センサ１６３０は、例えば、制限されないが、１つ又は複数の固定具、吸引可能な磁気要素、または化学的接着剤、例えば、制限されないが、エポキシによって、アダプタ６５０のノッチ６５１に前向き面に取り付けられている。これによって、センサの力検知手段は、ハウジング６１１の突起６１１Ａの後面の方を向くことになる。このようにして、静止位置では、センサ１６３０は、突起６１１Ａの後面に接触するかまたは該後面から離間している。
【０１４８】
光アセンブリ１６００のアダプタ６５０内への第２のコネクタアセンブリ６４０の挿入によってハウジング６１１が後方に押されると、突起６１１Ａの後面がセンサ１６３０に対して押圧される。センサ１６３０は、ケーブル１６３５，例えば、制限されないが、銅ワイヤによって、論理回路、例えば、論理回路９９に電気的に接続されている。このようにして、センサ１６３０が所定の許容範囲内の力によって押圧されると、センサ１６３０は、センサ６３０，１５３０の構成のいずれかと同じように作動し、第２のコネクタアセンブリ６４０がアダプタ６５０内の所定深さに挿入されるように第１のコネクタアセンブリ１６１０に対して十分な力を加えたことを示す信号をケーブル１６３５に沿って生成又はこのような信号の生成を停止する。第２のコネクタアセンブリ６４０が所定深さにない時、第１のコネクタアセンブリ１６１０を通る光放出が停止され、損傷を阻止し、エネルギーを節約することが可能になる。
【０１４９】
光アセンブリ１６００の代替的構成では、第１のコネクタアセンブリ１６１０を受けるアダプタ６５０のノッチ６５１の前向き面に代わって、第２のコネクタアセンブリ６４０を受けるアダプタの側のノッチの前向き側に取り付けられてもよい。これによって、センサ１６３０は、センサ６３０の構成のいずれかと同じように作動し、第２のコネクタアセンブリ６４０がアダプタ内の所定深さに挿入されるように第１のコネクタアセンブリ１６１０に対して十分な力を加えたことを示す信号をケーブル１６３５に沿って生成し、又はそのような信号の生成を停止することになる。
【０１５０】
センサがセンサモジュールから延長可能なプローブを有する光アセンブリ１６００の他の代替的構成では、センサモジュールは、アダプタ６５０の外側（図示せず）、例えば、制限されないが、アダプタの端に取り付けられてもよい。この場合、プローブは、アダプタに形成された貫通孔を通って延長可能である。このようにして、センサのプローブは、ハウジング６１１の突起６１１Ａによって押圧され、これによって、センサは、プローブを有するセンサ６３０，１５３０，１６３０の構成のいずれかと同じように作動することになる。
【０１５１】
図２１、図２１Ａ及び図２１Ｂを参照すると、光アセンブリ１７００は、アダプタ１７５０と、第１のＬＣコネクタアセンブリ１７１０及び第２のＬＣコネクタアセンブリ１７４０とを備えている。第１及び第２のＬＣコネクタアセンブリ１７１０，１７４０は、アダプタ内へのそれらの挿入と互いに対する当接（例えば、互いに対する接触）によって互いに係合可能になっている。第１及び第２のＬＣコネクタアセンブリ１７１０，１７４０の互いに対する当接は、光アセンブリ１５００の第１及び第２のコネクタアセンブリ１５１０，６４０の互いに対する当接と実質的に同様である。アダプタ１７５０は、主開口１７５２及び主開口の頂部から延在する長孔１７５４を画定し、更にアダプタの頂部から主開口を横切るように長孔内を通る孔１７５６を画定している。いくつかの代替的構成では、孔１７５６は、長孔１６５４内を部分的にしか通らない空洞であってもよい。第１及び第２のＬＣコネクタアセンブリ１７１０、１７４０は、いずれもハウジング１７１１及び該ハウジングから延在するレバー１７１１Ａを備えている。図示されるように、レバー１７１１Ａは、ハウジングを破損させない限りハウジングから分離させることができないように、ハウジング１７１１に一体化されているとよい。レバー１７１１Ａは、第１のシャフト部分１７１２及び第２のシャフト部分１７１３を備え、第１のシャフト部分は、第２のシャフト部分をレバーの残りに取り付けている。第１のシャフト部分１７１２は、第２のシャフト部分１７１３よりも広くなっている。これによって、第１及び第２のシャフト部分１７１２，１７１３は、アダプタ１７５０の主開口内を摺動又は移動することができるが、第２のシャフト部分１７１３しか長孔１７５４内を摺動又は移動することができない。
【０１５２】
第１のＬＣコネクタアセンブリ１７１０は、センサ１５３０と同一又は実質的に同様のセンサ１７３０を備えている。センサ１７３０は、第２のＬＣコネクタアセンブリ１７４０がアダプタ１７５０内に十分挿入されたことを示すためのものである。センサ１７３０は、例えば、制限されないが、１つ又は複数の固定具、吸引可能な磁気要素、又は化学的接着剤、例えば、制限されないが、エポキシによって、レバー１７１１の第１及び第２のシャフト部分１７１２，１７１３の交差によって画定される段１７１４に取り付けられている。このセンサのプローブは、アダプタ１７５０の孔１７５６の後方部分の方を向いている。従って、静止位置において、センサは、孔１７５６の後方部分に接触しているか又は孔１７５６の後方部分から離間している。
【０１５３】
第２のＬＣコネクタアセンブリ１７４０が光アセンブリ１７００のアダプタ１７５０内に挿入されることによってハウジング１７１１が後方に押されると、センサ１７３０は、孔１７５６の後方部分に対して押圧される。センサ１７３０は、ケーブル１７３５、例えば、制限されないが、銅ワイヤによって、論理回路、例えば、論理回路９９に電気的に接続されている。従って、センサ１７３０は、所定の許容範囲内の力によって押圧されると、センサ６３０，１５３０，１６３０の構成のいずれかにおけるのと同じように作動し、第２のＬＣコネクタアセンブリ１７４０がアダプタ１７５０内の所定深さに挿入されるように第１のコネクタアセンブリ１７１０に対して十分な力を加えたことを示す信号を生成し、又はそのような信号の生成を停止することになる。第２のＬＣコネクタアセンブリ１６４０が所定深さにない時、第１のＬＣコネクタアセンブリ１７１０を通る光放出が停止され、これによって、損傷を阻止し、エネルギーを節約することが可能になる。
【０１５４】
図２２及び図２２Ａを参照すると、光アセンブリ１８００は、センサ１７３０を有しない第１のＬＣコネクタアセンブリ１８１０を備え、更に光アセンブリのアダプタ１８５０に取り付けられたセンサ１８３０を備えるという重要な点を除けば、光アセンブリ１７００と実質的に同様である。センサ１８３０は、第２のＬＣコネクタアセンブリ１７４０がアダプタ１８５０内に挿入されたことを示すためのものである。アダプタ１８５０は、ノッチ１８５１を画定することを除けば、アダプタ１７５０と実質的に同様である。ノッチ１８５１は、図２２Ａに最もよく示されるようにアダプタ１７５０の孔１７５６と実質的に同じ孔から後方に延在し、図２２Ａに最もよく示されるように長孔１８５４から横方向に延在している。センサ１８３０は、センサ１７３０と同一又は実質的に同様である。センサ１８３０は、例えば、制限されないが、１つ又は複数の固定具、吸引可能な磁気要素、又は化学的接着剤、例えば、制限されないが、エポキシによって、アダプタ１８５０内及びアダプタのノッチ１８５１に取り付けられている。センサの力検知手段は、アダプタの孔１８５６内にあり、前方向を向いている。これによって、静止位置では、センサ１８３０は、レバー１７１１Ａの第１及び第２のシャフト部分１７１２，１７１３の交差によって画定される段１７１４と接触し、又は離間している。
【０１５５】
第２のＬＣコネクタアセンブリ１７４０が光アセンブリ１８００のアダプタ１８５０内に挿入されることによってハウジング１７１１が後方に押圧されると、段１７１４がセンサ１８３０に対して押圧される。センサ１８３０は、ケーブル１８３５、例えば、制限されないが、銅ワイヤによって論理回路、例えば、論理回路９９に電気的に接続されている。従って、センサ１８３０は、所定の許容範囲内の力によって押圧されると、センサ６３０，１５３０，１６３０，１７３０の構成のいずれかにおけると同じように作動し、第２のコネクタアセンブリ１７４０がアダプタ１８５０内の所定深さに挿入されるように十分な力を第１のコネクタアセンブリ１８１０に対して加えたことを示す信号をケーブル１８３５に沿って生成するか又はこのような信号の生成を停止することになる。第２のＬＣコネクタアセンブリ１７４０が所定の深さにない時、第１のＬＣコネクタアセンブリ１８１０を通る光放出が停止され、これによって、損傷を阻止し、エネルギーを節約することが可能になる。
【０１５６】
図２３を参照すると、光アセンブリ１９００は、ハウジング１７１１に代わって本体１９１１及びレバー１９１１Ａを有すると共にセンサ１９３０を備える第１のＬＣコネクタアセンブリ１９１０を備えるという重要な点を除けば、光アセンブリ１７００と実質的に同様である。センサ１９３０は、本体１９１１とレバー１９１１Ａの前端１９１２Ａとの間に取り付けられている。図示されるように、レバー１９１１Ａは、ヒンジピン１９１５によって本体１９１１に取り付けられ、これによって、本体に対してヒンジピン１９１５を中心として回転可能になっている。
【０１５７】
センサ１９３０は、ヒンジピン１９１５の前方に配置されているとよい。これによって、光アセンブリ１９００のアダプタ１７５０内への第２のＬＣコネクタアセンブリ１７４０の挿入によって第１のＬＣコネクタアセンブリ１９１０の本体１９１１が後方に押圧されると、レバー１９１１Ａの段１９１４に対して孔１７５６の後方部分によって加えられる力によって、前端１９１２Ａがセンサ１９３０に対して押圧され、ヒンジピンを中心とするトルクが生じる。センサ１９３０は、ケーブル１９３５、例えば、制限されないが、銅ワイヤによって倫理回路、例えば、制限されないが、論理回路９９に電気的に接続されている。従って、センサ１９３０は、所定の許容範囲内の力によって押圧されると、センサ６３０，１５３０，１６３０，１７３０，１８３０の構成のいずれかにおけるのと同様に作動し、第２のコネクタアセンブリ１７４０がアダプタ１７５０内の所定深さに挿入されるように十分な力を第１のコネクタアセンブリ１９１０に対して加えたことを示す信号をケーブル１９３５に沿って生成し、又はこのような信号の生成を停止することになる。第２のＬＣコネクタアセンブリ１７４０が所定深さにない時に、第１のコネクタアセンブリ１９１０を通る光放出が停止され、これによって、損傷を阻止し、エネルギーを節約することが可能になる。
【０１５８】
図２４を参照すると、光アセンブリ２０００は、レバー２０１１Ａが本体及びレバーのいずれかを破損させることなく本体から分離させることができないように第１のＬＣコネクタアセンブリ２０１０の本体２０１１と一体化されるという重要な点を除けば、光アセンブリ１９００と実質的に同様である。光アセンブリ１９００の操作と実質的に同様の操作によって、光アセンブリ２０００のアダプタ１７５０内への第２のＬＣコネクタアセンブリ１７４０の挿入によって第１のＬＣコネクタアセンブリ２０１０の本体２０１１が後方に押圧されると、レバー２０１１Ａ及び本体２０１１の界面を中心としてレバー２０１１Ａの段２０１４に対する孔１７５６の後方部分に加えられた力によって、レバー２０１１Ａの前端２０１２Ａがセンサ１９３０に対して押圧されることになる。
【０１５９】
図２５Ａ及び図２５Ｂを参照すると、光アセンブリ２１００は、アダプタ２１５０と、第１のＬＣコネクタアセンブリ２１１０及び第２のＬＣコネクタアセンブリ２１４０と、を備えている。第１及び第２のＬＣコネクタアセンブリ２１１０，２１４０は、アダプタ内へのそれらの挿入及び当接によって、互いに係合可能である。なお、第１及び第２のＬＣコネクタアセンブリ２１１０，２１４０の当接は、光アセンブリ１５００の第１及び第２のコネクタアセンブリ１５１０，６４０の当接と実質的に同様である。アダプタ２１５０は、主開口２１５２と、該主開口の上端から延在する（アダプタ１７５０の長孔１７５４と実質的に同様の）長孔２１５４とを画定し、更にアダプタの頂部から長孔を貫通して主開口を横切る孔２１５６Ａを画定している。いくつかの代替的構成では、孔２１５６Ａは、長孔２１５４を部分的にしか貫通しない空洞であってもよい。第１及び第２のＬＣコネクタアセンブリ２１１０，２１４０は、いずれもハウジング２１１１及び該ハウジングから延在するレバー２１１１Ａを備えている。図示されるように、レバー２１１１Ａは、ハウジングが破損しない限りハウジングから分離することができないように、ハウジング２１１１に一体化されているとよい。レバー２１１Ａは、第１のシャフト部分２１１２及び第２のシャフト部分２１１３を備えている。第１のシャフト部分は、第２のシャフト部分をハウジング２１１１の残りに取り付けている。第１のシャフト部分２１１２は、第２のシャフト部分２１１３の幅よりも広い幅を有している。このようにして、第１及び第２のシャフト部分２１１２，２１１３は、アダプタ２１５０の開口２１５２内を摺動又はそれ以外の形態で移動し、シャフト部分２１１３のみが、長孔２１５４内を摺動又はそれ以外の形態で移動することになる。
【０１６０】
アダプタ２１５０は、アダプタの中心壁２１５５から後方に延在するベース２１５１を備えている。センサ１５３０と同一又は実質的に同様のセンサ２１３０が、例えば、制限されないが、１つ又は複数の固定具、吸引可能な磁気要素、又は化学的接着剤、例えば、制限されないが、エポキシによって、ベース２１５１に取り付けられている。このセンサのプローブ又は他の力検知手段は、後方を向くハウジング２１１１の後面２１１５の方を向いている。図示の例では、センサ２１３０は、第１のＬＣコネクタアセンブリ２１１０がアダプタ２１５０に挿入された後、ベース２１５１に取り付けられる。有利には、アダプタ２１５０及び第１及び第２のＬＣコネクタアセンブリ２１１０，２１４０の各々は、既製品であってもよく、センサ２１３０がアダプタに後付けされるとよい。
【０１６１】
図２５Ａに示されるように、第１及び第２のＬＣコネクタアセンブリ２１１０，２１４０を互いに接触させる前に、センサ２１３０のプローブ又は他の力検知手段は、力センサの場合第１の力がプローブ又は他の力検知手段に加えられるように又は変位センサの場合プローブ又は他の力検知手段が第１の長さに延長されるように、後面２１１５に接触されるとよい。このようにして、センサ２１３０は、第１の設定値に予設定される。代替的構成では、この第１の予設定値は、センサへの他の挙動によってもたらされてもよい。図２５Ｂに示されるように、（光アセンブリ２１００のアダプタ２１５０内への第２のＬＣコネクタアセンブリ２１４０の挿入及び第１及び第２のＬＣコネクタアセンブリ２１１０，２１４０の対向する外側フェルール部分２１１７Ｂの当接によって）第１のＬＣコネクタ２１１０のハウジング２１１１が後方力を受けた時、ハウジングの後面２１１５がセンサ２１３０のプローブ又は他の力検知手段に対して押圧される。その結果、第１及び第２のＬＣコネクタアセンブリ２１１０，２１４０が互いに接触する前の状態に対して、プローブ又は他の力検知手段は、個々の構成に応じて、例えば、力センサの場合第１の力よりも大きい第２の力によって圧縮されることによって、又は変位センサの場合第１の長さよりも短い第２の長さに圧縮されることによって、第２の設定値に設定されることになる。
【０１６２】
センサ２１３０は、例えば、制限されないが、銅ワイヤであるとよいケーブル、例えば、ケーブル１７３５（図２１参照）によって、論理回路、例えば、論理回路９９に電気的に接続されているとよい。これによって、センサ２１３０のプローブ又は他の力検知手段が（最小力又は最小距離によってのみ規定されるとよい）所定の許容範囲内の力によって押圧されるか又は所定の許容範囲内の距離だけ移動すると、センサ２１３０は、センサ６３０，１５３０，１６３０，１７３０の構成のいずれかにおけるのと同じように作動し、第２のＬＣコネクタアセンブリ２１４０の外側フェルール部分２１１７Ｂの対合端が所定の最小力で第１のＬＣコネクタアセンブリ２１１０の外側フェルール部分２１１７Ｂの対合端と接触していることを示す信号をケーブルに沿って生成し、又はそのような信号の生成を停止する。いくつかの構成では、第２のＬＣコネクタアセンブリ２１４０が第１のＬＣコネクタアセンブリ２１１０に対して十分な力を加えた時、このような信号は、第２のＬＣコネクタアセンブリ２１４０がアダプタ２１５０内に十分な距離にわたって挿入されたことを示すようになっていてもよい。第２のＬＣコネクタアセンブリ２１４０の外側フェルール部分２１１７Ｂの対合端が第１のＬＣコネクタアセンブリ２１１０の外側フェルール部分２１１７Ｂの対合端と全く接触していないか又は又は所定の最小力によってしか接触していない時、第１のＬＣコネクタアセンブリ２１１０を通る光の放出が停止され、これによって、これによって、損傷を阻止し、エネルギーを節約することが可能になる。
【０１６３】
図２５Ａに更に示されるように、第１及び第２のＬＣコネクタアセンブリ２１１０，２１４０が互いに接触する前に、第１のＬＣコネクタアセンブリ２１１０は、そのハウジング２１１１の前面２１１６がアダプタの中心壁２１５５に当接するように、アダプタ２１５０内に十分挿入されるとよい。更に図示されるように、センサ２１３０は、ハウジング２１１１の後面２１１５が前述したようにセンサ２１３０のプローブ又は他の力検知手段と接触するように、アダプタ２１５０上に配置されるとよい。従って、この初期位置において、間隙Ａ−Ａがレバー２１１１Ａの段２１１４Ａとアダプタ２１５０の孔２１５６Ａの後方部分との間に形成される。この場合、第１のＬＣコネクタアセンブリ２１１０によって加えられる後方力の全て又は殆ど全てが、センサ２１３０のプローブ又は他の力検知手段に向けられ、このような後方力は、孔２１５６Ａの後方部分に対して向けられない。間隙Ａ−Ａは、好ましくは、少なくとも略０．０１ｍｍ、更に好ましくは、少なくとも略０．１ｍｍ、更に一層好ましくは、略０．５ｍｍである。いくつかの代替的構成では、第１のＬＣコネクタアセンブリ２１１０は、ハウジング２１１１の前面２１１６がアダプタの中心壁２１５５に当接することなく間隙Ａ−Ａを形成するのに十分アダプタ２１５０内に挿入されてもよい。
【０１６４】
図２５Ｂに更に示されるように、第２のＬＣコネクタアセンブリ２１４０がアダプタ２１５０内に十分挿入された時、第２のＬＣコネクタアセンブリのレバー２１１１Ｂの段２１１４Ｂは、アダプタを貫通する孔２１５６Ｂの後方部分を後方に押す。更に図示されるように、センサ２１３０は、第２のＬＣコネクタアセンブリがこの十分な挿入位置に静止している時、第１及び第２のＬＣコネクタアセンブリ２１１０，２１４０が、（一端における第１のＬＣコネクタアセンブリ２１１０とセンサ２１３０のプローブ又は他の力検知手段との当接及び他端における第２のＬＣコネクタアセンブリ２１４０とアダプタ２１５０の孔２１５６Ｂの後方部分との当接によって）適所に保持されるように、アダプタ２１５０上に位置付けられるとよい。これによって、この静止位置において、（この例では、間隙Ａ−Ａよりも小さい）間隙Ｂ−Ｂが、レバー２１１１Ａの段２１１４Ａとアダプタ２１５０の孔２１５６Ａの後方部分との間に形成される。この場合、第１のＬＣコネクタアセンブリ２１１０によって加えられる後方力の全て又は殆ど全てがセンサ２１３０のプローブ又は他の力検知手段に向けられ、このような後方力は、孔２１５６Ａの後方部分に向けられない。間隙Ｂ−Ｂは、ゼロであってもよいが、好ましくは、少なくとも略０．０１ｍｍ、更に好ましくは、少なくとも略０．１ｍｍ、更に一層好ましくは、略０．５ｍｍである。
【０１６５】
図２６Ａ及び図２６Ｂを参照すると、光アセンブリ２２００は、センサ２１３０を有しないアダプタ２２５０を備え、更に光アセンブリの第１のＬＣコネクタアセンブリ２２１０に取り付けられたセンサ２２３０を備えるという重要な点を除けば、光アセンブリ２１００と実質的に同様である。センサ２２３０は、第１のＬＣコネクタアセンブリ及び第２のＬＣコネクタアセンブリのそれぞれの外側フェルール部分２１１７Ｂの対合端が互いに合わさったことを示すためのものである。アダプタ２２５０は、ポスト２２５３がアダプタ２２５０のベース２２５１から延在することを除けば、アダプタ２１５０と実質的に同じである。いくつかの構成では、ポスト２２５３は、アダプタ２２５０と一体化されているとよい。具体的には、ポストは、ポスト及びアダプタのいずれか又は両方が破損しない限りアダプタから分離できないようになっているとよい。他の構成では、ポストは、例えば、制限されないが、１つ又は複数の固定具、吸引可能な磁気要素、又は化学接着剤、例えば、制限されないが、エポキシによってアダプタに取り付けられてもよい。
【０１６６】
センサ２２３０は、センサ２１３０と同一又は実質的に同様であるととよい。センサ２２３０は、例えば、制限されないが、１つ又は複数の固定具、吸引可能な磁気要素、又は化学的接着剤、例えば、制限されないが、エポキシによって、後方を向く第１のＬＣコネクタアセンブリ２２１０のハウジング２２１１の後面２２１５に取り付けられている。このセンサのプローブ又は他の力検知手段は、場合にもよるが、後方向に延びているか又は後方向を向いているとよい。有利には、アダプタ２２５０及び第１及び第２のＬＣコネクタアセンブリ２２１０，２１４０の各々は、既製品であってもよく、ポスト２２５３がアダプタに後付けされるとよく、センサ２２３０が少なくとも第１のＬＣコネクタアセンブリ２２１０に後付けされるとよい。
【０１６７】
図２６Ａに示されるように、第１及び第２のＬＣコネクタアセンブリ２２１０，２１４０が互いに接触する前に、センサ２２３０のプローブ又は他の力検知手段は、力センサの場合第１の力がプローブ又は他の力検知手段に加えられるように、又は変位センサの場合プローブ又は他の力検知手段が第１の距離に延びるように、ポスト２２５３に接触しているとよい。このようにして、センサ２２３０は、第１の設定値に予設定される。代替的構成では、第１の設定値は、センサへの他の挙動によってもたらされてもよい。図２６Ｂに示されるように、（光アセンブリ２２００のアダプタ２２５０内への第２のＬＣコネクタアセンブリ２１４０の挿入及び第１及び第２のＬＣコネクタアセンブリ２２１０，２１４０の対向する外側フェルール部分２１１７Ｂの当接によって）ハウジング２２１１が後方力を受けると、センサ２２３０のプローブ又は他の力検知手段は、ポスト２２５３に対して圧縮される。その結果、第１及び第２のＬＣコネクタアセンブリ２２１０，２１４０が互いに接触する前の状態に対して、プローブ又は他の力検知手段は、個々の構成に応じて、例えば、力センサの場合第１の力よりも大きい第２の力によって圧縮されることによって、又は変位センサの場合第１の長さよりも短い第２の長さに圧縮されることによって、第２の設定値に設定されることになる。
【０１６８】
センサ２２３０は、例えば、制限されないが、銅ワイヤであるとよいケーブル、例えば、ケーブル１７３５（図２１参照）によって、論理回路、例えば、論理回路９９に電気的に接続されているとよい。これによって、センサ２２３０のプローブ又は他の力検知手段が（最小力又は最小距離によってのみ規定されるとよい）所定の許容範囲内の力によって押圧されるか又は所定の許容範囲内の距離だけ移動すると、センサ２２３０は、センサ６３０，１５３０，１６３０，１７３０，２１３０の構成のいずれかにおけるのと同じように作動し、第２のＬＣコネクタアセンブリ２１４０の外側フェルール部分２１１７Ｂの対合端が所定の最小力で第１のＬＣコネクタアセンブリ２２１０の外側フェルール部分２１１７Ｂの対合端と接触していることを示す信号をケーブルに沿って生成し、又はそのような信号の生成を停止する。いくつかの構成では、第２のＬＣコネクタアセンブリ２１４０が第１のＬＣコネクタアセンブリ２２１０に十分な力を加えた時、このような信号は、第２のＬＣコネクタアセンブリ２１４０がアダプタ２２５０内に十分な距離にわたって挿入されたことを示すようになっていてもよい。第２のＬＣコネクタアセンブリ２１４０の外側フェルール部分２１１７Ｂの対合端が第１のＬＣコネクタアセンブリ２２１０の外側フェルール部分２１１７Ｂの対合端と全く接触していないか又は又は所定の最小力によってしか接触していない時、第１のＬＣコネクタアセンブリ２２１０を通る光放出が停止され、これによって、損傷を阻止し、エネルギーを節約することが可能になる。
【０１６９】
図２６Ａに更に示されるように、第１及び第２のＬＣコネクタアセンブリ２２１０，２１４０が互いに接触する前に、第１のＬＣコネクタアセンブリ２２１０は、そのハウジング２２１１の前面２２１６がアダプタの中心壁２２５５に当接するように、アダプタ２２５０内に十分挿入されるとよい。更に図示されるように、ポスト２２５３は、センサ２２３０のプローブ又は他の力検知手段が前述したようにポストに接触するように、アダプタ２２５０上に配置されるとよい。従って、この初期位置において、間隙Ａ−Ａがレバー２２１１Ａの段２２１４Ａとアダプタ２２５０の孔２２５６Ａの後方部分との間に形成される。この場合、第１のＬＣコネクタアセンブリ２２１０に取り付けられたセンサ２２３０のプローブ又は他の力検知手段によって加えられる後方力の全て又は殆ど全てが、ポスト２２５３に向けられ、このような後方力は、孔２２５６Ａの後方部分に対して向けられない。間隙Ａ−Ａは、好ましくは、少なくとも略０．０１ｍｍ、更に好ましくは、少なくとも略０．１ｍｍ、更に一層好ましくは、略０．５ｍｍである。いくつかの代替的構成では、第１のＬＣコネクタアセンブリ２２１０は、ハウジング２２１１の前面２２１６がアガプタの中心壁２２５５に当接することなく間隙Ａ−Ａを形成するのに十分アダプタ２２５０内に挿入されてもよい。
【０１７０】
図２６Ｂに更に示されるように、第２のＬＣコネクタアセンブリ２１４０がアダプタ２２５０内に十分挿入されると、第２のＬＣコネクタアセンブリのレバー２１１１Ｂの段２１１４Ｂが、アダプタを貫通する孔２１５６Ｂの後方部分を後方に押す。更に図示されるように、ポスト２２５３は、第２のＬＣコネクタアセンブリがこの十分な挿入位置に静止している時、第１及び第２のＬＣコネクタアセンブリ２２１０，２１４０が、（一端における第１のＬＣコネクタアセンブリ２２１０に取り付けられたセンサ２２３０のプローブ又は他の力検知手段とポストとの当接及び他端における第２のＬＣコネクタアセンブリ２１４０とアダプタ２２５０の孔２２５６Ｂの後方部分との当接によって）適所に保持されるように、アダプタ２２５０上に位置付けられるとよい。これによって、この静止位置において、（この例では、間隙Ａ−Ａよりも小さい）間隙Ｂ−Ｂが、レバー２２１１Ａの段２２１４Ａとアダプタ２２５０の孔２２５６Ａの後方位置との間に形成される。この場合、第１のＬＣコネクタアセンブリ２１１０に取り付けられたセンサ２２３０のプローブ又は他の力検知手段によって加えられる後方力の全て又は殆ど全てがポスト２２５３に向けられ、このような後方力は、アダプタ２２５０の孔２１５６Ａの後方部分に向けられない。間隙Ｂ−Ｂは、ゼロであってもよいが、好ましくは、少なくとも略０．０１ｍｍ、更に好ましくは、少なくとも略０．１ｍｍ、更に一層好ましくは、略０．５ｍｍである。
【０１７１】
図２７を参照すると、光アセンブリ２３００は、アダプタ２３５０と、第１のＳＣコネクタアセンブリ２３１０と、（図示されないが、以後、参照の目的で２３１０の部番が付される）第２のＳＣコネクタアセンブリとを備えている。第２のＳＣコネクタアセンブリは、第１のＳＣコネクタアセンブリと同一の構成を有していてもよいし、又は異なる構成を有していてもよい。これらのアセンブリは、それらのアダプタ内への挿入及び当接によって、互いに係合可能である。なお、これらのアセンブリの当接は、光アセンブリ１５００の第１及び第２のコネクタアセンブリ１５１０，６４０の当接、及び光アセンブリ２１００の第１及び第２のコネクタアセンブリ２１１０，２１４０の当接と同様である。アダプタ２３５０の互いに対向する側は、少なくとも１つのフック付きフランジ２３５２（図示の例では、各側の２つのフック付きフランジ２３５２）及び長孔２３５４を備えている。第１及び第２のＳＣコネクタアセンブリ２３１０がアダプタの両側に受け入れられると、フック付きフランジは、長孔２３５４内においてアダプタの長軸から離れる方に片持ち変形される。第１及び第２のＳＣコネクタアセンブリ２３１０は、いずれもハウジング２３１１を備えている。ハウジング２３１１は、ハウジングの長軸から離れる方に延在する少なくとも１つのキャッチ２３１２を有すると共に、アダプタ２３５０の各フック付きフランジ２３５２に対応する少なくとも１つの溝２３１３を画定している（図示の例では、２つのキャッチ２３１２及び２つの溝２３１３が第１及び第２のＳＣコネクタアセンブリ２３１０の各々に設けられている）。このようにして、アダプタ２３５０内への第１のコネクタアセンブリ２３１０の挿入時に、キャッチ２３５０は、アダプタ２３５０のフック付きフランジ２３５２を超えてすべり、フック付きフランジの端が第１のＳＣコネクタアセンブリのハウジング２３１１の溝２３１３内に受け入れられることになる。図示されるように、ハウジング２３１１は、外側ハウジング２３１１Ａ内に受け入れられるようになっているとよい。この外側ハウジング２３１１Ａは、アダプタ２３５０の中心壁２３５５から離れる方にハウジング２３１１に沿って摺動可能になっているとよく、これによって、フック付きフランジ２３５２をアダプタの長軸から外方に片持ち変形させ、ハウジング２３１１をアダプタから開放（この例では、フック解除）させることができる。いくつかの代替的構成では、アダプタのフック付きフランジ及び第１及び第２のＳＣコネクタアセンブリのキャッチは、逆に配置されてもよい。具体的には、フック付きフランジがキャッチよりもアダプタによって画定される長軸のより近くに配置されてもよい。すなわち、フック付きフランジがキャッチの内側に配置されてもよい。このような構成では、フック付きフランジのプロングは、アダプタによって画定される長軸から離れる方に延在し、キャッチのプロングが長軸に向かって延在する。すなわち、これらのプロングは、図２７に示されるフック付きフランジ２３５２及びキャッチ２３１２に対して示される方向と逆方向に延在することになる。
【０１７２】
アダプタ２３５０は、アダプタの中心壁２３５５から後方に延在するベース２３５１を備えている。センサ２１３０と同一又は実質的に同様であるとよいセンサ２３３０が、例えば、制限されないが、１つ又は複数の固定具、吸引可能な磁気要素、又は化学的接着剤、例えば、制限されないが、エポキシによって、ベース２３５１に取り付けられている。このセンサのプローブ又は他の力検知手段は、後方を向くハウジング２３１１に後面２３１５の方を向いている。図示の例では、センサ２３３０は、第１のＳＣコネクタアセンブリ２３１０がアダプタ２３５０内に挿入された後、ベース２３５１に取り付けられるとよい。有利には、アダプタ２３５０並びに第１及び第２のＳＣコネクタアセンブリ２３１０の各々は、既製品であってもよく、センサ２３３０がアダプタに後付けされるとよい。
【０１７３】
図２７に更に示されるように、第１及び第２のＳＣコネクタアセンブリ２３１０が互いに接触する前に、ハウジング２３１１は、アダプタ２３５０及び第１のＳＣコネクタアセンブリ２３１０の長軸と平行の方向においてフック付きフランジ２３５２の端とキャッチ２３１２との間に間隙Ａ−Ａを形成するように、アダプタ２３５０に対して配置され、センサ２３３０のプローブ又は他の力検知手段は、ハウジング２３１１の後面２３１５と接触しているとよい。これによって、用いられるセンサの種類にもよるが、力センサの場合、第１の力がプローブ又は他の力検知手段に加えられ、変位センサの場合、プローブ又は他の力検知手段が第１の長さに延長される。このようにして、センサ２３３０は、第１の設定値に予設定される。代替的構成では、第１の設定値は、センサへの他の挙動によってもたらされてもよい。いくつかの代替的構成では、図示されないが、ハウジング２３１１は、ハウジングの前面２３１６がアダプタ２３５０の中心壁２３５５に当接するように、アダプタ２３５０に対して配置されてもよい。
【０１７４】
光アセンブリ２１００の操作と同じように、（光アセンブリ２３００のアダプタ２３５０内への第２のＳＣコネクタアセンブリ２３１０の挿入及び第１及び第２のＳＣコネクタアセンブリ２３１０の対向する外側フェルール部分２３１７Ｂの当接によって）光アセンブリ２３００の第１のＳＣコネクタアセンブリ２３１０のハウジング２３１１が後方力を受けた時、ハウジングの後面２３１５がセンサ２３３０のプローブ又は他の力検知手段に対して押圧される。その結果、第１及び第２のＳＣコネクタアセンブリ２３１０が互いに接触する前の状態に対して、プローブ又は他の力検知手段は、個々の構成に応じて、例えば、力センサの場合第１の力よりも大きい第２の力によって圧縮されることによって、又は変位センサの場合第１の長さよりも短い第２の長さに圧縮されることによって、第２の設定値に設定されることになる。
【０１７５】
センサ２３３０は、例えば、制限されないが、銅ワイヤであるとよいケーブル、例えば、ケーブル１７３５（図２１参照）によって、論理回路、例えば、論理回路９９に電気的に接続されているとよい。これによって、センサ２３３０のプローブ又は他の力検知手段が（最小力又は最小距離によってのみ規定されるとよい）所定の許容範囲内の力によって押圧されるか又は所定の許容範囲内の距離だけ移動すると、センサ２３３０は、センサ６３０，１５３０，１６３０，１７３０，２１３０の構成のいずれかにおけるのと同じように作動し、第２のＳＣコネクタアセンブリ２３１０の外側フェルール部分２１１７Ｂの対合端が所定の最小力で第１のＳＣコネクタアセンブリ２３１０の外側フェルール部分２１１７Ｂの対合端と接触していることを示す信号をケーブルに沿って生成し、又はそのような信号の生成を停止する。いくつかの構成では、第２のＳＣコネクタアセンブリ２３１０が第１のＳＣコネクタアセンブリ２３１０に対して十分な力を加えた時、このような信号が、第２のＳＣコネクタアセンブリ２３１０がアダプタ２３５０内の少なくとも所定深さに挿入されたことを示すか、又は第２のＳＣコネクタアセンブリ２３１０がアダプタ２３５０内に十分な距離にわたって挿入されたことを示すようになっていてもよい。第２のＳＣコネクタアセンブリ２３１０の外側フェルール部分２１１７Ｂの対合端が第１のＳＣコネクタアセンブリ２３１０の外側フェルール部分２１１７Ｂの対合端と全く接触していないか又は所定の最小力によってしか接触していない時、第１のＳＣコネクタアセンブリ２３１０を通る光の放出が停止され、これによって、損傷を阻止し、エネルギーを節約することが可能になる。
【０１７６】
図２７に更に示されるように、第１及び第２のＳＣコネクタアセンブリ２３１０が互いに接触する前に、第１のＳＣコネクタアセンブリ２３１０がアダプタ２３５０内に挿入され、次いで、センサ２３３０が、（ハウジング２３１１の後面２３１５が前述したようにセンサ２３３０のプローブ又は他の検知手段と接触するように）、アダプタ２３５０上に配置されるとよい。従って、この初期位置において、間隙Ａ−Ａがアダプタ２３５０のフック付きフランジ」２３５２の端とハウジング２３１１のキャッチ２３１２との間の空間に画定される。この場合、第１のＳＣコネクタアセンブリ２３１０によって加えられる後方力の全て又は殆ど全てが、センサ２３３０のプローブ又は他の力検知手段に向けられ、このような後方力は、フック付きフランジ２３５２に対して向けられない。間隙Ａ−Ａは、好ましくは、少なくとも略０．０１ｍｍ、更に好ましくは、少なくとも略０．１ｍｍ、更に一層好ましくは、略０．５ｍｍである。
【０１７７】
第２のＳＣコネクタアセンブリ２３１０がアダプタ２３５０内に十分に挿入され、第１及び第２のＳＣコネクタアセンブリ２３１０が、第２のＳＣコネクタアセンブリのこの十分な挿入位置において静止している時、センサ２３３０は、第１及び第２のＳＣコネクタアセンブリが、（一端における第１のＳＣコネクタアセンブリとセンサ２３３０のプローブ又は他の力検知手段との当接及び第２のＳＣコネクタアセンブリが挿入されたアダプタ２３５０の側における第２のＳＣコネクタアセンブリとアダプタ２３５０の少なくとも１つのフック付きフランジ２３５２との当接によって）適所に保持されるように、アダプタ２３５０上に位置付けられるとよい。従って、この静止位置において、（第１のＳＣコネクタアセンブリ２３１０が挿入されるアダプタの側におけるアダプタ２３５０のフック付きフランジ２３５２とキャッチ２３１２との間の）間隙Ａ−Ａによって画定される間隙が縮小する。その結果、第１のＳＣコネクタアセンブリによって加えられた後方力の全て又は殆ど全てがセンサ２３３０のプローブ又は他の近た検知手段に向けられ、このような後方力は、第１のＳＣコネクタアセンブリのフック付きフランジに向けられない。この縮小した間隙は、ゼロであってもよいが、好ましくは、少なくとも略０．０１ｍｍ、更に好ましくは、略０．１ｍｍ、更に一層好ましくは、略０．５ｍｍである。
【０１７８】
いくつかの代替的構成における光アセンブリは、以下の点を除けば、光アセンブリ２３００と同じである。すなわち、この光アセンブリでは、センサが、例えば、制限されないが、１つ又は複数の固定具、吸引可能な磁気要素、又は化学的接着剤、例えば、制限されないが、エポキシによって、第１のＳＣコネクタのハウジングの後面、例えば、第１のコネクタアセンブリ２３１０のハウジング２３１１の後面２３１５に取り付けられ、センサに代わるポストが、光アセンブリ２２００のアダプタ２２５０のベース２２５１へのポスト２２５３の取付けと実質的に同じように、アダプタのベースに取り付けられるようになっている。操作に関して、ハウジングの後面のセンサは、ポスト２２５３がセンサ２２３０と相互作用するのと実質的に同じようにポストと相互作用する。前述の例では、アダプタ及び第１及び第２のＬＣコネクタアセンブリの各々は、既製品であってもよく、ポストがアダプタに後付けされ、センサが少なくとも第１のＬＣコネクタアセンブリに後付けされるとよい。
【０１７９】
図２８を参照すると、光アセンブリ２４００は、第１のＬＣコネクタアセンブリ２２１１０に代わって第１のＬＣコネクタアセンブリ２４１０を備えるという重要な点を除けば、光アセンブリ２１００と実質的に同様である。第１のＬＣコネクタアセンブリ２４１０は、ハウジング２１１１に代わってハウジング装置２４１１を備えるという重要な点を除けば、第１のＬＣコネクタアセンブリ２１１０と実質的に同様である。ハウジング装置２４１１は、ハウジング２４１８及び延長装置２４１９を備えている。延長装置２４１９は、図示されるように、ハウジングの後端から延在する実質的にチューブの形態にある内側延長体２４２０Ａを備えている。図示されるように、いくつかの構成では、内側延長体２４２０Ａは、内側延長体及びハウジングのいずれか又は両方を破損させない限りハウジングから分離することができないように、ハウジング２１１１と一体化されているとよい。他の構成では、内側延在体及びハウジングは、個別の構成部品であってもよい。延長装置２４１９の内側延長体２４２０Ａは、リブ又は肩２４１９Ａ、又は代替的に延長装置２４１９の外側延長体２４２０Ｂと係合するための雌ネジを備えているとよい。いくつかの構成では、外側延長体２４２０Ｂは、対応するリブ又は肩２４１９Ａを受け入れるための空洞又は内側延長体２４２０Ａの代替的雌ネジに対応する雄ネジを備えている。いくつかの代替的構成では、外側延長体がリブ又は肩を備え、内側延長体が対応するリブ又は肩を受け入れるための対応する空洞を備えていてもよい。いくつかの代替的構成構成では、内側延長体及び外側延長体は、モールステーパ又は他の締り嵌めによって取り付けられるようになっていてもよい。
【０１８０】
前述の他の例と同様、第１及び第２のＬＣコネクタアセンブリ２４１０，２１４９が互いに接触する前に、センサ２１３０のプローブ又は他の力検知手段は、力センサの場合第１の力がプローブ又は他の力検知手段に加えられるように又は変位センサの場合プローブ又は他の力検知手段が第１の長さに延長されるように、延長装置２４１９の外側延長体２４２０Ｂの後面２４１５に接触されるとよい。このようにして、センサ２１３０は、第１の設定値に予設定される。代替的構成では、第１の設定値は、センサへの他の挙動によってもたらされてもよい。代替的構成では、第１及び第２のＬＣコネクタアセンブリ２４１０，２１４０が互いに接触する前に、センサ２１３０のプローブ又は他の力検知手段は、力センサの場合第１の力がプローブ又は他の力検知手段に加えられるように又は変位センサの場合プローブ又は他の力検知手段が第１の長さに延長されるように、外側延長体２４２０Ｂの有無と無関係に、延長装置２４１９の内側延長体２４２０Ａの後面に接触されてもよい。
【０１８１】
図２８に更に示されるように、（光アセンブリ２４００のアダプタ２１５０内への第２のＬＣコネクタアセンブリ２１４０の挿入及び第１及び第２のＬＣコネクタアセンブリ２４１０，２１４０の対向する外側フェルール部分２１１７Ｂの当接によって）ハウジング装置２４１１が後向力を受けた時、ハウジング装置２４１１の後面２４１５がセンサ２１３０のプローブ又は他の検知手段に押圧される。その結果、第１及び第２のＬＣコネクタアセンブリ２４１０，２１４０が互いに接触する前の状態に対して、プローブ又は他の力検知手段は、個々の構成に応じて、例えば、力センサの場合第１の力よりも大きい第２の力によって圧縮されることによって、又は変位センサの場合第１の長さよりも短い第２の長さに圧縮されることによって、第２の設定値に設定されることになる。
【０１８２】
センサ２１３０は、例えば、制限されないが、銅ワイヤであるとよいケーブル、例えば、ケーブル１７３５（図２１参照）によって、論理回路、例えば、論理回路９９に電気的に接続されているとよい。これによって、センサ２１３０のプローブ又は他の力検知手段が（最小力又は最小距離によってのみ規定される）所定の許容範囲内の力によって押圧されるか又は所定の許容範囲内の距離だけ移動すると、センサ２１３０は、センサ６３０，１５３０，１６３０，１７３０の構成のいずれかにおけるのと同じように作動し、第２のＬＣコネクタアセンブリ２１４０の外側フェルール部分２１１７Ｂの対合端が所定の最小力によって第１のＬＣコネクタアセンブリ２４１０の外側フェルール部分２１１７Ｂの対合端と接触していることを示す信号をケーブルに沿って生成し、又はそのような信号の生成を停止する。いくつかの構成では、第２のＬＣコネクタアセンブリ２１４０が第１のＬＣコネクタアセンブリ２１１０に対して十分な力を加えた時、このような信号は、第２のＬＣコネクタアセンブリ２１４０がアダプタ２１５０内に十分な距離にわたって挿入されたことを示すようになっていてもよい。第２のＬＣコネクタアセンブリ２１４０の外側フェルール部分２１１７Ｂの対合端が第１のＬＣコネクタアセンブリ２１１０の外側フェルール部分２１１７Ｂの対合端と全く接触していないか又は所定の最小力によってしか接触していない時、第１のＬＣコネクタアセンブリ２１１０を通る光の放出が停止され、これによって、損傷を阻止し、エネルギーを節約することが可能になる。
【０１８３】
第１及び第２のＬＣコネクタアセンブリ２４１０，２１４０が互いに接触する前に、第１のＬＣコネクタアセンブリ２４１０は、ハウジング装置２４１１の前面２４１６がアダプタの中心壁２１５５に当接するように、アダプタ２１５０内に十分挿入されるとよい。更に図示されるように、センサ２１３０は、ハウジング装置２１１１の後面２１１５が前述したようにセンサ２１３０のプローブ又は他の力検知手段と接触するように、アダプタ２１５０上に配置されるとよい。従って、この初期位置において、間隙Ａ−Ａ（例えば、図２５Ａ参照）が、レバー２４１１Ａの段２１１４Ａとアダプタ２１５０の孔２１５６Ａの後方部分との間に形成される。この場合、第１のＬＣコネクタアセンブリ２４１０によって加えられる後方力の全て又は殆ど全てが、センサ２１３０のプローブ又は他の力検知手段に向けられ、このような後方力は、孔２１５６Ａの後方部分に対して向けられない。間隙Ａ−Ａは、好ましくは、少なくとも略０．０１ｍｍ、更に好ましくは、少なくとも略０．１ｍｍ、更に一層好ましくは、略０．５ｍｍである。いくつかの代替的構成では、第１のＬＣコネクタアセンブリ２４１０は、ハウジング２４１１の前面２４１６がアガプタの中心壁２１５５に当接することなく間隙Ａ−Ａを形成するのに十分アダプタ２１５０内に挿入されてもよい。
【０１８４】
図２８Ｂに更に示されるように、第２のＬＣコネクタアセンブリ２１４０がアダプタ２１５０内に十分挿入されると、第２のＬＣコネクタアセンブリのレバー２１１１Ｂの段２１１４Ｂが、アダプタを貫通する孔２１５６Ｂの後方部分を後方に押す。更に図示されるように、センサ２１３０は、第２のＬＣコネクタアセンブリがこの十分な挿入位置に静止している時、第１及び第２のＬＣコネクタアセンブリ２４１０，２１４０が、（一端における第１のＬＣコネクタアセンブリ２４１０とセンサ２１３０のプローブ又は他の力検知手段の当接及び他端における第２のＬＣコネクタアセンブリ２１４０とアダプタ２１５０の孔２１５６Ｂの後方部分との当接によって）適所に保持されるように、アダプタ２１５０上に位置付けられるとよい。これによって、この静止位置において、間隙Ａ−Ａよりも小さい間隙Ｂ−Ｂが、レバー２４１１Ａの段２４１４Ａとアダプタ２１５０の孔２１５６Ａの後方位置との間に形成される。この場合、第１のＬＣコネクタアセンブリ２４１０によって加えられる後方力の全て又は殆ど全てがセンサ２１３０のプローブ又は他の力検知手段に向けられ、このような後方力は、孔２１５６Ａの後方部分に向けられない。間隙Ｂ−Ｂは、ゼロであってもよいが、好ましくは、少なくとも略０．０１ｍｍ、更に好ましくは、少なくとも略０．１ｍｍ、更に一層好ましくは、略０．５ｍｍであるとよい。
【０１８５】
図２９を参照すると、光アセンブリ２４００は、第１のＬＣコネクタアセンブリ２１１０に代わって第１のＬＣコネクタアセンブリ２５１０を備えるという重要な点を除けば、光アセンブリ２１００と実質的に同様である。第１のＬＣコネクタアセンブリ２５１０は、ハウジング２１１１に代わってハウジング装置２４１１を備え、更に内側フェルール部分２５１７Ａを備えるというる重要な点を除けば、第１のＬＣコネクタアセンブリ２１１０と実質的に同様である。内側フェルール部分２５１７Ａは、外側フェルール部分２１１７Ｂの一部を周方向に包囲し、フェルールアセンブリの一部を形成するものである。内側フェルール部分２５１７Ａは、ハウジング装置２５１１の後面によって画定される開口１５１２を超えて後方に延在している。内側フェルール部分２５１７Ａは、主区分２５１８及び延長装置２５１９を備えている。延長装置２５１９は、図示されるように、主区分の後端から延在する実質的にチューブ状の内側延長体２５２０Ａを備えている。図示されるように、いくつかの構成では、内側延長体２５２０Ａは、内側延長体及び主区分のいずれか又は両方を破損させない限り主区分から分離することができないように、内側フェルール部分２５１７Ａの主区分２５１８に一体化されているとよい。他の構成では、内側延長体及び主区分は、個別の構成部品であってもよい。内側フェルール部分２５１７Ａの延長装置２５１９の内側延長体２５２０Ａは、リブ又は型２５１９Ａ、又は代替的に延長装置２５１９の外側延長体２５２０Ｂと係合するための雌ネジを備えている。いくつかの構成では、外側延長体２５２０Ｂは、対応するリブ又は肩２５１９Ａを受け入れるための空洞又は内側延長体２５２０Ａの代替的雌ネジに対応する雄ネジを備えている。いくつかの代替的構成では、外側延長体がリブ又は肩を備え、内側延長体が対応するリブ又は肩を受け入れるための対応する空洞を備えていてもよい。いくつかの代替的構成では、内側延長体及び外側延長体は、モールステーパ又は他の締り嵌めによって取り付けられるようになっていてもよい。
【０１８６】
前述の他の例と同様、第１及び第２のＬＣコネクタアセンブリ２５１０，２１４０が互いに接触する前に、センサ２１３０のプローブ又は他の力検知手段は、力センサの場合第１の力がプローブ又は他の力検知手段に加えられるように又は変位センサの場合プローブ又は他の力検知手段が第１の長さに延長されるように、延長装置２５１９の外側延長体２５２０Ｂの後面２５１５に接触されるとよい。このようにして、センサ２１３０は、第１の設定値に予設定される。代替的構成では、第１の設定値は、センサへの他の挙動によってもたらされてもよい。代替的構成では、図３０の例におけるように、光アセンブリ２５００Ａの第１及び第２のＬＣコネクタアセンブリ２５１０Ａ，２１４０が互いに接触する前に、センサ２１３０のプローブ又は他の力検知手段は、力センサの場合第１の力がプローブ又は他の力検知手段に加えられるように又は変位センサの場合プローブ又は他の力検知手段が第１の長さに延長されるように、（外側延長体２５２０Ｂが設けられているか又は図３０に示されるように外側延長体２５２０Ｂが設けられていないかに関わらず）延長装置の内側延長体２５２０Ａの後面に接触されるとよい。
【０１８７】
図２９を再び参照すると、（光アセンブリ２５００のアダプタ２１５０内への第２のＬＣコネクタアセンブリ２１４０の挿入及び第１及び第２のＬＣコネクタアセンブリ２５１０，２１４０の対向する外側フェルール部分２１１７Ｂの当接によって）内側フェルール部分２５１７Ａが後向力を受けると、延長装置２５１９の外側延長体２５２０Ｂの後面２５１５がセンサ２１３０のプローブ又は他の検知手段に押圧される、その結果、第１及び第２のＬＣコネクタアセンブリ２５１０，２１４０が互いに接触する前の状態に対して、プローブ又は他の力検知手段は、個々の構成に応じて、例えば、力センサの場合第１の力よりも大きい第２の力によって圧縮されることによって、又は変位センサの場合第１の長さよりも短い第２の長さに圧縮されることによって、第２の設定値に設定されることになる。
【０１８８】
センサ２１３０は、例えば、制限されないが、銅ワイヤであるとよいケーブル、例えば、ケーブル１７３５（図２１参照）によって、論理回路、例えば、論理回路９９に電気的に接続されているとよい。これによって、センサ２１３０のプローブ又は他の力検知手段が（最小力又は最小距離によってのみ規定される）所定の許容範囲内の力によって押圧されるか又は所定の許容範囲内の距離だけ移動すると、センサ２１３０は、センサ６３０，１５３０，１６３０，１７３０の構成のいずれかにおけるのと同じように作動し、第２のＬＣコネクタアセンブリ２１４０の外側フェルール部分２１１７Ｂの対合端が所定の最小力によって第１のＬＣコネクタアセンブリ２５１０の外側フェルール部分２１１７Ｂの対合端と接触していることを示す信号をケーブルに沿って生成し、又はそのような信号の生成を停止する。いくつかの構成では、第２のＬＣコネクタアセンブリ２１４０が第１のＬＣコネクタアセンブリ２５１０に対して十分な力を加えた時、このような信号が、第２のＬＣコネクタアセンブリ２１４０がアダプタ２１５０内に十分な距離にわたって挿入されたことを示すようになっていてもよい。第２のＬＣコネクタアセンブリ２１４０の外側フェルール部分２１１７Ｂの対合端が第１のＬＣコネクタアセンブリ２５１０の外側フェルール部分２１１７Ｂの対合端と全く接触していないか又は又は所定の最小力によってしか接触していない時、第１のＬＣコネクタアセンブリ２５１０を通る光の放出が停止され、これによって、損傷を阻止し、エネルギーを節約することが可能になる。
【０１８９】
図３１を参照すると、光アセンブリ２６００は、第１のＬＣコネクタアセンブリ２５１０に代わって第１のＬＣコネクタアセンブリ２６１０及びセンサ２１３０に代わってセンサ２６３０を備えるという重要な点を除けば、光アセンブリ２５００と実質的に同様である。第１のＬＣコネクタアセンブリ２６１０は、内側フェルール部分２５１７Ａに代わって内側フェルール部分２６１７Ａを備えるという重要な点を除けば、第１のＬＣコネクタアセンブリ２５１０と実質的に同様である。内側フェルール部分２６１７Ａは、外側フェルール部分２１１７Ｂの一部を周方向に包囲し、フェルールアセンブリの一部を形成するものである。内側フェルール部分２５１７Ａは、ハウジング装置２５１１の後面によって画定される開口２５１２を超えることなく後方に延びている。センサ２６３０は、内側フェルール部分２６１７Ａの後面２６１５に延在するプローブアームである延長装置２６３１を備えるという重要な点を除けば、センサ２１３０と実質的に同様である。
【０１９０】
前述の他の例と同様、第１及び第２のＬＣコネクタアセンブリ２６１０，２１４０が互いに接触する前に、センサ２６３０の延長装置２６３１は、力センサの場合第１の力が延長装置２６３１によって力検知手段に加えられるように又は変位センサの場センサの力検知手段が第１の長さに延長されるように、内側フェルール部分２６１７Ａの後面２６１５に接触されるとよい。このようにして、センサ２６３０は、第１の設定値に予設定される。代替的構成では、第１の設定値は、センサへの他の挙動によってもたらされてもよい。代替的構成では、センサ２６３０の第１の設定値は、延長装置２６３１と内側フェルール部分２６１７Ａとの間の初期接触をもたらすことなく画定されてもよい。
【０１９１】
図３１に示されるように、（光アセンブリ２６００のアダプタ２１５０内への第２のＬＣコネクタアセンブリ２１４０の挿入及び第１及び第２のＬＣコネクタアセンブリ２６１０，２１４０の対向する外側フェルール部分２１１７Ｂの当接によって）内側フェルール部分２６１７Ａが後方力を受けると、内側フェルール部分２６１７Ａの後面２６１５がセンサ２６３０の延長装置２６３１に押圧される。その結果、第１及び第２のＬＣコネクタアセンブリ２６１０，２１４０が互いに接触する前の状態に対して、センサのプローブ又は他の力検知手段は、個々の構成に応じて、例えば、力センサの場合第１の力よりも大きい第２の力によって圧縮されることによって、又は変位センサの場合第１の長さよりも短い第２の長さに圧縮されることによって、第２の設定値に設定されることになる。
【０１９２】
センサ２６３０は、例えば、制限されないが、銅ワイヤであるとよいケーブル、例えば、ケーブル１７３５（図２１参照）によって、論理回路、例えば、論理回路９９に電気的に接続されているとよい。これによって、センサ２６３０のプローブ又は他の力検知手段が（最小力又は最小距離によってのみ規定されるとよい）所定の許容範囲内の力によって押圧されるか又は所定の許容範囲内の距離だけ移動すると、センサ２６３０は、センサ６３０，１５３０，１６３０，１７３０の構成のいずれかにおけるのと同じように作動し、第２のＬＣコネクタアセンブリ２１４０の外側フェルール部分２１１７Ｂの対合端が所定の最小力で第１のＬＣコネクタアセンブリ２６１０の外側フェルール部分２１１７Ｂの対合端と接触していることを示す信号をケーブルに沿って生成し、又はそのような信号の生成を停止する。いくつかの構成では、第２のＬＣコネクタアセンブリ２１４０が第１のＬＣコネクタアセンブリ２６１０に対して十分な力を加えた時、このような信号が、第２のＬＣコネクタアセンブリ２１４０がアダプタ２１５０内に十分な距離にわたって挿入されたことを示すようになっていてもよい。第２のＬＣコネクタアセンブリ２１４０の外側フェルール部分２１１７Ｂの対合端が第１のＬＣコネクタアセンブリ２６１０の外側フェルール部分２１１７Ｂの対合端と全く接触していないか又は又は所定の最小力によってしか接触していない時、第１のＬＣコネクタアセンブリ２６１０を通る光の放出が停止され、これによって、損傷を阻止し、エネルギーを節約することが可能になる。
【０１９３】
図３２を参照すると、本明細書に開示される検出システムは、スイッチ又はセンサの作動によるか又は２つの電極間の導電性接触によるかどうかに関わらず、コネクタインターフェイス、例えば、コネクタアセンブリ２４０３を有する印刷回路基板２４１０２を含むラインカード２４０１のようなネットワーク機器又はサーバ機器と併せて利用されるとよい。この例では、ラインカード２４０１は、コネクタアセンブリ２４０３内に挿入される対応する外部コネクタの存在を検知する（コネクタアセンブリ２４０３上の）スイッチ、センサ、又は導電製接点のいずれかを備えているとよい。このようにして、コネクタアセンブリ２４０３は、外部コネクタがコネクタアセンブリ内に挿入されていない時、光の放出を停止し、又は代替的に光を能動的に放出させることが可能になる。
【０１９４】
本明細書に記載される光アセンブリ、例えば、制限されないが、光アセンブリ１５００，１６００，１７００，１８００，１９００，２０００，２１００，２２００，２３００，２４００，２５００，２５００Ａ，２６００のいくつかの代替的構成では、対応するアダプタによって最初に受け入れられるコネクタアセンブリの１つ又は複数のフェルール部分は、ハウジングに対して平行移動しなくてもよい。すなわち、このようなコネクタアセンブリの１つ又は複数のフェルール部分の平行移動は、ハウジングの平行移動と同じであってもよい。本明細書に記載される光アセンブリ、例えば、制限されないが、光アセンブリ１５００，１６００，１７００，１８００，１９００，２０００，２１００，２２００，２３００，２４００，２５００，２５００Ａ，２６００のいくつかの代替的構成では、対応するアダプタによって次に受け入れられるコネクタアセンブリは、外力及びアダプタに最初に受け入れられたコネクタアセンブリによって加えられた力によって、アダプタ内の適所に保持されるとよい。従って、アダプタは、アダプタによって次に受け入れられたコネクタアセンブリ及びアダプタの長軸に沿った方向において、対応するアダプタに次に受け入れられたコネクタアセンブリの平行移動を制限する力を供給する必要がない。
【０１９５】
本明細書に開示される技術は、いくつかの形式のエネルギー伝搬コネクタ、例えば、制限されないが、データに対応する光信号を伝搬する光ファイバ及びデータに対応する電気エネルギーを伝搬する導電要素を保持するための光信号伝搬コネクタに用いられるとよいことを理解されたい。光信号伝搬コネクタは、例えば、制限されないが、ＬＣコネクタ、ＳＣコネクタ、ＭＰＯコネクタ、ＭＴＰコネクタ、ＦＣコネクタ、ＳＴコネクタ、及びＭＵコネクタであるとよい。一般的な例として、本技術は、ファイバフェルール及びフェルールホルダー、例えば、本明細書において前述した外側及び内側フェルール部分、バネ又は弾性要素、例えば、本明細書において前述した弾性要素、ハウジング、例えば、本明細書において前述したハウジング、及びバネストッパ、例えば、本明細書において前述した弾性ストッパ要素を含むコネクタに用いられるとよい。
【０１９６】
本明細書に記載される開示は、本明細書に具体的に開示されているかどうかに関わらず、前述の特定の特徴の任意の可能な組合せを含むことを更に理解されたい。例えば、特定の特徴が、特定の態様、配置、構成、又は実施形態に関連して開示される場合、本技術の他の特定の態様、配置、構成、及び実施形態と組合せて及び／又は関連付けて、並びに本技術の一般概念内において、該特徴を可能な限り広く用いることができる。
【０１９７】
更に、特定の特徴を参照して本技術を説明してきたが、これらの特徴は、本技術の原理及び用途の単なる例示にすぎないことを理解されたい。従って、例示的実施形態に対して、数多くの修正、例えば、本明細書に記載される種々の特徴の大きさの変更がなされてもよいこと、及び本技術の精神及び範囲から逸脱することなく他の構成が考案されてもよいことを理解されたい。これに関連して、本技術は、以下の請求項に記載される具体的な特徴に加えて、数多くの付加的な特徴を包含するものである。更に、前述の開示は、制限というよりもむしろ例示を目的とすると見なされるべきである。何故なら、本技術は、以下の請求項によって規定されるからである。
【図１】
2020506441.tif 000003
【図２】
2020506441.tif 000004
【図３】
2020506441.tif 000005
【図４】
2020506441.tif 000006
【図５】
2020506441.tif 000007
【図６】
2020506441.tif 000008
【図７】
2020506441.tif 000009
【図８】
2020506441.tif 000010
【図９】
2020506441.tif 000011
【図１０Ａ】
2020506441.tif 000012
【図１０Ｂ】
2020506441.tif 000013
【図１１】
2020506441.tif 000014
【図１２Ａ】
2020506441.tif 000015
【図１２Ｂ】
2020506441.tif 000016
【図１２Ｃ】
2020506441.tif 000017
【図１３】
2020506441.tif 000018
【図１４】
2020506441.tif 000019
【図１５】
2020506441.tif 000020
【図１６】
2020506441.tif 000021
【図１７】
2020506441.tif 000022
【図１８】
2020506441.tif 000023
【図１９】
2020506441.tif 000024
【図２０】
2020506441.tif 000025
【図２１】
2020506441.tif 000026
【図２１Ａ．２１Ｂ】
2020506441.tif 000027
【図２２】
2020506441.tif 000028
【図２２Ａ】
2020506441.tif 000029
【図２３】
2020506441.tif 000030
【図２４】
2020506441.tif 000031
【図２５Ａ．２５Ｂ】
2020506441.tif 000032
【図２６Ａ．２６Ｂ】
2020506441.tif 000033
【図２７】
2020506441.tif 000034
【図２８】
2020506441.tif 000035
【図２９】
2020506441.tif 000036
【図３０】
2020506441.tif 000037
【図３１】
2020506441.tif 000038
【図３２】
2020506441.tif 000039
【国際調査報告】
2020506441.tif 000040